(57)【要約】高周波信号の入力信号レベルを検出する高周波信号レベル検出装置において、ＡＧＣ回路３１は、受信された高周波信号を周波数変換した後の中間周波信号に基づいて、上記中間周波信号の出力レベルが実質的に一定となるように、上記高周波信号の利得を制御するためのＲＦＡＧＣ値と、上記中間周波信号の利得を制御するためのＩＦＡＧＣ値とを用いて、上記中間周波信号の自動利得制御を行う。コントローラ５０は、受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する。
2004095725.tif 000002
【特許請求の範囲】
【請求項１】
受信された高周波信号を周波数変換した後の中間周波信号に基づいて、上記中間周波信号の出力レベルが実質的に一定となるように、上記高周波信号の利得を制御するためのＲＦＡＧＣ値と、上記中間周波信号の利得を制御するためのＩＦＡＧＣ値とを用いて、上記中間周波信号の自動利得制御を行うＡＧＣ回路と、
上記受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する検出手段とを備えたことを特徴とする高周波信号レベル検出装置。
【請求項２】
上記検出手段は、上記高周波信号に対する利得が最大値であるとき、上記測定されたＩＦＡＧＣ値に基づいて、上記第２の関係データのみを用いて、上記受信された高周波信号の入力信号レベルを検出することを特徴とする請求項１記載の高周波信号レベル検出装置。
【請求項３】
上記検出手段は、上記高周波信号に対する利得が最大値でないとき、上記測定されたＲＦＡＧＣ値に基づいて、上記第１の関係データのみを用いて、上記受信された高周波信号の入力信号レベルを検出することを特徴とする請求項１又は２記載の高周波信号レベル検出装置。
【請求項４】
上記検出手段は、上記測定されたＲＦＡＧＣ値に基づいて上記測定された第１の関係データを用いて、上記受信された高周波信号の第１の入力信号レベルを検出し、上記測定されたＩＦＡＧＣ値に基づいて上記測定された第２の関係データを用いて、上記受信された高周波信号の第２の入力信号レベルを検出し、上記検出された第１の入力信号レベルと、上記検出された第２の入力信号レベルとの平均値を、上記受信された高周波信号の入力信号レベルとして検出することを特徴とする請求項１乃至３のうちのいずれか１つに記載の高周波信号レベル検出装置。
【請求項５】
上記受信される高周波信号は、複数の周波数を有し、
上記検出手段は、上記複数の周波数のうちの実質的に中央の周波数を有する高周波信号を用いて、入力信号レベルに対するＲＦＡＧＣ値の第１の関係データと、入力信号レベルに対するＩＦＡＧＣ値の第２の関係データとを予め測定したことを特徴とする請求項１乃至４のうちのいずれか１つに記載の高周波信号レベル検出装置。
【請求項６】
上記受信される高周波信号は、複数の周波数を有し、
上記検出手段は、上記複数の周波数のうちの最高周波数と最低周波数をそれぞれ有する２つの高周波信号を用いて、
（ａ）上記最高周波数を有する高周波信号の入力信号レベルに対するＲＦＡＧＣ値の第１の関係データの第１の部分と、
（ｂ）上記最高周波数を有する高周波信号の入力信号レベルに対するＩＦＡＧＣ値の第２の関係データの第１の部分と、
（ｃ）上記最低周波数を有する高周波信号の入力信号レベルに対するＲＦＡＧＣ値の第１の関係データの第２の部分と、
（ｄ）上記最低周波数を有する高周波信号の入力信号レベルに対するＩＦＡＧＣ値の第２の関係データの第２の部分と
を予め測定し、
上記測定されたＲＦＡＧＣ値に基づいて上記測定された第１の関係データの第１の部分を用いて、上記受信された高周波信号の第１の入力信号レベルを検出し、上記測定されたＩＦＡＧＣ値に基づいて上記測定された第２の関係データの第１の部分を用いて、上記受信された高周波信号の第２の入力信号レベルを検出し、上記検出された第１の入力信号レベルと、上記検出された第２の入力信号レベルとの平均値を、上記最高周波数を有する高周波信号の入力信号レベルとして検出し、
上記測定されたＲＦＡＧＣ値に基づいて上記測定された第１の関係データの第２の部分を用いて、上記受信された高周波信号の第３の入力信号レベルを検出し、上記測定されたＩＦＡＧＣ値に基づいて上記測定された第２の関係データの第２の部分を用いて、上記受信された高周波信号の第４の入力信号レベルを検出し、上記検出された第３の入力信号レベルと、上記検出された第４の入力信号レベルとの平均値を、上記最低周波数を有する高周波信号の入力信号レベルとして検出し、
上記検出された最高周波数を有する高周波信号の入力信号レベルと、上記最低周波数を有する高周波信号の入力信号レベルとに基づいて、上記測定対象の高周波信号の受信周波数に対して入力信号レベルを線形近似する線形近似法を用いて、上記測定対象の高周波信号の入力信号レベルを計算することを特徴とする請求項１乃至４のうちのいずれか１つに記載の高周波信号レベル検出装置。
【請求項７】
上記受信される高周波信号は、複数の周波数を有し、
上記複数の周波数を含む周波数範囲を複数の周波数範囲に分割し、
上記検出手段は、上記分割された各周波数範囲において上記第１と第２の関係データを予め測定し、上記測定対象の高周波信号の周波数の属する周波数範囲に対応する上記測定された第１と第２の関係データを用いて、上記受信された高周波信号の入力信号レベルを検出することを特徴とする請求項１乃至６のうちのいずれか１つに記載の高周波信号レベル検出装置。
【請求項８】
上記検出手段は、上記測定対象の高周波信号の周波数の近傍に、別の高周波信号の干渉波があるときと、当該干渉波が無いときとの間における、上記受信された高周波信号の入力信号レベルに対するＩＦＡＧＣ値の第２の関係データにおけるＩＦＡＧＣ値に対する検出誤差である第３の関係データを予め測定し、上記測定対象の高周波信号に対して測定されたＩＦＡＧＣ値に基づいて、上記第３の関係データを用いて上記検出誤差を検出し、上記検出された入力信号レベルに対して、上記検出された検出誤差を用いて補正することを特徴とする請求項１乃至７のうちのいずれか１つに記載の高周波信号レベル検出装置。
【請求項９】
上記検出手段は、
（ａ）上記測定対象の高周波信号の周波数の両側に、別の高周波信号の干渉波があるときの第１の場合と、当該干渉波が無いときとの間における、上記受信された高周波信号の入力信号レベルに対するＩＦＡＧＣ値の第２の関係データにおけるＩＦＡＧＣ値に対する第１の検出誤差である第３の関係データの第１の部分と、
（ｂ）上記測定対象の高周波信号の周波数の片側に、別の高周波信号の干渉波があるときの第２の場合と、当該干渉波が無いときとの間における、上記受信された高周波信号の入力信号レベルに対するＩＦＡＧＣ値の第２の関係データにおけるＩＦＡＧＣ値に対する第２の検出誤差である第３の関係データの第２の部分とを予め測定し、上記測定対象の高周波信号に対して測定されたＩＦＡＧＣ値に基づいて、上記測定対象の高周波信号が上記第１の場合又は上記第２の場合である状態に対応する上記第３の関係データの第１の部分又は第２の部分を用いて、上記第１又は第２の検出誤差を検出し、上記検出された入力信号レベルに対して、当該検出された検出誤差を用いて補正することを特徴とする請求項１乃至７のうちのいずれか１つに記載の高周波信号レベル検出装置。
【請求項１０】
上記検出手段は、上記第１の関係データと、上記第２の関係データとをそれぞれ所定の近似関数で表し、上記第１の関係データの近似関数と、上記第２の関係データの近似関数を用いて、上記受信された高周波信号の入力信号レベルを検出することを特徴とする請求項１乃至９のうちのいずれか１つに記載の高周波信号レベル検出装置。
【請求項１１】
上記検出手段により検出された入力信号レベルを表示する表示手段をさらに備えたことを特徴とする請求項１乃至１０のうちのいずれか１つに記載の高周波信号レベル検出装置。
【請求項１２】
高周波信号を受信し、上記受信した高周波信号を中間周波信号に周波数変換して出力する受信機と、
請求項１乃至１１のうちのいずれか１つに記載の高周波信号レベル検出装置とを備えたことを特徴とする高周波信号受信装置。
【発明の詳細な説明】
【技術分野】  本発明は、アンテナ又はケーブルにより受信された高周波信号の信号レベルを検出するための高周波信号レベル検出装置及びそれを用いた高周波信号受信装置に関する。
【背景技術】  アンテナ又はケーブルにより受信された高周波信号の信号レベルを検出するための高周波信号レベル検出装置として、従来から種々の装置が提案されており、例えば、以下の従来技術文献において開示されている。
（１）日本国特許出願公開２００２−２１７７６３号公報（以下、従来技術文献１という。）。
（２）日本国特許出願公開平成９−１９９９６２号公報（以下、従来技術文献２という。）。
（３）日本国特許出願公開昭和６０−０６２２４６号公報（以下、従来技術文献３という。）。
（４）日本国実用新案出願公開昭和６２−０９３８４３号公報（以下、従来技術文献４という。）。
これらの従来技術文献１−４においては、基本的には、受信される高周波信号の信号レベルが実質的に一定となるように制御するＡＧＣ（Ａｕｔｏｍａｔｉｃ  Ｇａｉｎ  Ｃｏｎｔｒｏｌ）回路から出力される制御電圧であるＡＧＣ電圧に基づいて当該信号レベルを検出している。
例えば、従来技術文献１に記載の装置（以下、従来例の装置という。）においては、受信周波数の違いにより発生する入力レベル表示の表示誤差を低減するために、高周波回路ブロックの特性によってＡＧＣ値の変化が大きくなる所定の周波数以上の信号については、そのＡＧＣ値を所定値だけ補正してマッピング関数を作成してメモリに記憶させておき、入力レベル表示を行う際の受信周波数が所定の周波数を越えたときは、ＡＧＣ電圧を所定値だけ補正した後、マッピング関数によって入力信号の表示レベル値を算出するようにしたことを特徴としている。
【発明の開示】
しかしながら、従来例の装置では、マッピング関数データをメモリに記憶するため、信号レベル表示を高精度で実現するためには、周波数範囲を細かく分け、その周波数範囲毎にマッピング関数データを記憶させるためにメモリ容量が増大し、所定のメモリ容量で信号レベル表示をする場合は、精度が不足する場合があるという問題点があった。
また、従来例の装置では、信号レベルとＲＦＡＧＣ電圧との関係のみに基づいて信号レベルを算出しているために、信号レベルの表示精度が低下する場合があるという問題点があった。さらに、隣接チャンネルにおいて干渉波が存在する場合に、当該干渉波によりＲＦＡＧＣ電圧が影響を受け、信号レベルの表示精度が低下するという問題点があった。
本発明に目的は以上の問題点を解決し、従来技術に比較して高精度で高周波信号の信号レベルを検出することができる高周波信号レベル検出装置及びこれを用いた高周波信号受信装置を提供することにある。
本発明に係る高周波信号レベル検出装置は、受信された高周波信号を周波数変換した後の中間周波信号に基づいて、上記中間周波信号の出力レベルが実質的に一定となるように、上記高周波信号の利得を制御するためのＲＦＡＧＣ値と、上記中間周波信号の利得を制御するためのＩＦＡＧＣ値とを用いて、上記中間周波信号の自動利得制御を行うＡＧＣ回路と、
上記受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する検出手段とを備えたことを特徴とする。
上記高周波信号レベル検出装置において、上記検出手段は、上記高周波信号に対する利得が最大値であるとき、上記測定されたＩＦＡＧＣ値に基づいて、上記第２の関係データのみを用いて、上記受信された高周波信号の入力信号レベルを検出することを特徴とする。
また、上記高周波信号レベル検出装置において、上記検出手段は、上記高周波信号に対する利得が最大値でないとき、上記測定されたＲＦＡＧＣ値に基づいて、上記第１の関係データのみを用いて、上記受信された高周波信号の入力信号レベルを検出することを特徴とする。
さらに、上記高周波信号レベル検出装置において、上記検出手段は、上記測定されたＲＦＡＧＣ値に基づいて上記測定された第１の関係データを用いて、上記受信された高周波信号の第１の入力信号レベルを検出し、上記測定されたＩＦＡＧＣ値に基づいて上記測定された第２の関係データを用いて、上記受信された高周波信号の第２の入力信号レベルを検出し、上記検出された第１の入力信号レベルと、上記検出された第２の入力信号レベルとの平均値を、上記受信された高周波信号の入力信号レベルとして検出することを特徴とする。
またさらに、上記高周波信号レベル検出装置において、上記受信される高周波信号は、複数の周波数を有し、
上記検出手段は、上記複数の周波数のうちの実質的に中央の周波数を有する高周波信号を用いて、入力信号レベルに対するＲＦＡＧＣ値の第１の関係データと、入力信号レベルに対するＩＦＡＧＣ値の第２の関係データとを予め測定したことを特徴とする。
また、上記高周波信号レベル検出装置において、上記受信される高周波信号は、複数の周波数を有し、
上記検出手段は、上記複数の周波数のうちの最高周波数と最低周波数をそれぞれ有する２つの高周波信号を用いて、
（ａ）上記最高周波数を有する高周波信号の入力信号レベルに対するＲＦＡＧＣ値の第１の関係データの第１の部分と、
（ｂ）上記最高周波数を有する高周波信号の入力信号レベルに対するＩＦＡＧＣ値の第２の関係データの第１の部分と、
（ｃ）上記最低周波数を有する高周波信号の入力信号レベルに対するＲＦＡＧＣ値の第１の関係データの第２の部分と、
（ｄ）上記最低周波数を有する高周波信号の入力信号レベルに対するＩＦＡＧＣ値の第２の関係データの第２の部分と
を予め測定し、
上記測定されたＲＦＡＧＣ値に基づいて上記測定された第１の関係データの第１の部分を用いて、上記受信された高周波信号の第１の入力信号レベルを検出し、上記測定されたＩＦＡＧＣ値に基づいて上記測定された第２の関係データの第１の部分を用いて、上記受信された高周波信号の第２の入力信号レベルを検出し、上記検出された第１の入力信号レベルと、上記検出された第２の入力信号レベルとの平均値を、上記最高周波数を有する高周波信号の入力信号レベルとして検出し、
上記測定されたＲＦＡＧＣ値に基づいて上記測定された第１の関係データの第２の部分を用いて、上記受信された高周波信号の第３の入力信号レベルを検出し、上記測定されたＩＦＡＧＣ値に基づいて上記測定された第２の関係データの第２の部分を用いて、上記受信された高周波信号の第４の入力信号レベルを検出し、上記検出された第３の入力信号レベルと、上記検出された第４の入力信号レベルとの平均値を、上記最低周波数を有する高周波信号の入力信号レベルとして検出し、
上記検出された最高周波数を有する高周波信号の入力信号レベルと、上記最低周波数を有する高周波信号の入力信号レベルとに基づいて、上記測定対象の高周波信号の受信周波数に対して入力信号レベルを線形近似する線形近似法を用いて、上記測定対象の高周波信号の入力信号レベルを計算することを特徴とする。
さらに、上記高周波信号レベル検出装置において、上記受信される高周波信号は、複数の周波数を有し、
上記複数の周波数を含む周波数範囲を複数の周波数範囲に分割し、
上記検出手段は、上記分割された各周波数範囲において上記第１と第２の関係データを予め測定し、上記測定対象の高周波信号の周波数の属する周波数範囲に対応する上記測定された第１と第２の関係データを用いて、上記受信された高周波信号の入力信号レベルを検出することを特徴とする。
またさらに、上記高周波信号レベル検出装置において、上記検出手段は、上記測定対象の高周波信号の周波数の近傍に、別の高周波信号の干渉波があるときと、当該干渉波が無いときとの間における、上記受信された高周波信号の入力信号レベルに対するＩＦＡＧＣ値の第２の関係データにおけるＩＦＡＧＣ値に対する検出誤差である第３の関係データを予め測定し、上記測定対象の高周波信号に対して測定されたＩＦＡＧＣ値に基づいて、上記第３の関係データを用いて上記検出誤差を検出し、上記検出された入力信号レベルに対して、上記検出された検出誤差を用いて補正することを特徴とする。
また、上記高周波信号レベル検出装置において、上記検出手段は、
（ａ）上記測定対象の高周波信号の周波数の両側に、別の高周波信号の干渉波があるときの第１の場合と、当該干渉波が無いときとの間における、上記受信された高周波信号の入力信号レベルに対するＩＦＡＧＣ値の第２の関係データにおけるＩＦＡＧＣ値に対する第１の検出誤差である第３の関係データの第１の部分と、
（ｂ）上記測定対象の高周波信号の周波数の片側に、別の高周波信号の干渉波があるときの第２の場合と、当該干渉波が無いときとの間における、上記受信された高周波信号の入力信号レベルに対するＩＦＡＧＣ値の第２の関係データにおけるＩＦＡＧＣ値に対する第２の検出誤差である第３の関係データの第２の部分とを予め測定し、上記測定対象の高周波信号に対して測定されたＩＦＡＧＣ値に基づいて、上記測定対象の高周波信号が上記第１の場合又は上記第２の場合である状態に対応する上記第３の関係データの第１の部分又は第２の部分を用いて、上記第１又は第２の検出誤差を検出し、上記検出された入力信号レベルに対して、当該検出された検出誤差を用いて補正することを特徴とする。
さらに、上記高周波信号レベル検出装置において、上記検出手段は、上記第１の関係データと、上記第２の関係データとをそれぞれ所定の近似関数で表し、上記第１の関係データの近似関数と、上記第２の関係データの近似関数を用いて、上記受信された高周波信号の入力信号レベルを検出することを特徴とする。
またさらに、上記高周波信号レベル検出装置は、上記検出手段により検出された入力信号レベルを表示する表示手段をさらに備えたことを特徴とする。
別の本発明に係る高周波信号受信装置は、高周波信号を受信し、上記受信した高周波信号を中間周波信号に周波数変換して出力する受信機と、上記高周波信号レベル検出装置とを備えたことを特徴とする。
従って、本発明によれば、受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する。従って、従来技術に比較して高精度で高周波信号の信号レベルを検出することができる。
【図面の簡単な説明】  図１は、本発明の第１の実施形態に係る、高周波信号レベル検出及び表示機能を備えたテレビジョン受像機１００の構成を示すブロック図である。
図２は、図１のテレビジョン受像機１００の高周波信号レベル検出及び表示機能のための表示制御プログラムを生成するための測定制御システムの構成を示すブロック図である。
図３は、米国におけるケーブルテレビジョンの放送信号のチャンネル配置の一例を示す図である。
図４は、図２の測定制御システムのコントローラ６０によって実行される表示制御プログラム生成処理を示すフローチャートである。
図５は、図１のコントローラ５０によって実行される表示制御処理を示すフローチャートである。
図６は、図１のテレビジョン受像機１００における入力信号レベルに対するＲＦＡＧＣレジスタ値及びＩＦＡＧＣレジスタ値の測定結果の一例を示すグラフである。
図７は、図６のＲＦＡＧＣレジスタ値に対する入力信号レベルの関係の測定結果を、所定の近似関数を用いて近似したときの近似関数を示すグラフである。
図８は、図６のＩＦＡＧＣレジスタ値に対する入力信号レベルの関係の測定結果を、所定の近似関数を用いて近似したときの近似関数を示すグラフである。
図９は、本発明の第２の実施形態に係るテレビジョン受像機１００において用いる、２分割された周波数範囲ＦＲ１，ＦＲ２を示す図である。
図１０は、第２の実施形態に係る測定制御システムのコントローラ６０によって実行される表示制御プログラム生成処理を示すフローチャートである。
図１１は、第２の実施形態に係るコントローラ５０によって実行される表示制御処理を示すフローチャートである。
図１２は、本発明の第３の実施形態に係るテレビジョン受像機１００において用いる、２分割された各周波数範囲ＦＲ１，ＦＲ２における最低周波数ｆ１ｍｉｎ，ｆ２ｍｉｎ及び最高周波数ｆ１ｍａｘ，ｆ２ｍａｘ及び受信周波数ｆｒｅｃを示す図である。
図１３は、第３の実施形態に係る測定制御システムのコントローラ６０によって実行される表示制御プログラム生成処理の第１の部分を示すフローチャートである。
図１４は、第３の実施形態に係る測定制御システムのコントローラ６０によって実行される表示制御プログラム生成処理の第２の部分を示すフローチャートである。
図１５は、第３の実施形態に係るコントローラ５０によって実行される表示制御処理を示すフローチャートである。
図１６は、第４の実施形態に係る測定制御システムのコントローラ６０によって実行される表示制御プログラム生成処理を示すフローチャートである。
図１７は、第４の実施形態に係るコントローラ５０によって実行される表示制御処理を示すフローチャートである。
図１８は、ＲＦＡＧＣレジスタ値に対する、所定のしきい値以上の入力信号レベルの関係の測定結果を、所定の近似関数を用いて近似したときの近似関数ＡＦ５２を示すグラフである。
図１９は、ＩＦＡＧＣレジスタ値に対する、所定のしきい値以下の入力信号レベルの関係の測定結果を、所定の近似関数を用いて近似したときの近似関数ＡＦ５１を示すグラフである。
図２０は、第５の実施形態に係る測定制御システムのコントローラ６０によって実行される表示制御プログラム生成処理の第１の部分を示すフローチャートである。
図２１は、第５の実施形態に係る測定制御システムのコントローラ６０によって実行される表示制御プログラム生成処理の第２の部分を示すフローチャートである。
図２２は、第５の実施形態に係るコントローラ５０によって実行される表示制御処理を示すフローチャートである。
図２３は、第６の実施形態に係る測定制御システムのコントローラ６０によって実行される表示制御プログラム生成処理の第１の部分を示すフローチャートである。
図２４は、第６の実施形態に係る測定制御システムのコントローラ６０によって実行される表示制御プログラム生成処理の第２の部分を示すフローチャートである。
図２５は、第６の実施形態に係るコントローラ５０によって実行される表示制御処理を示すフローチャートである。
図２６は、第７の実施形態に係るテレビジョン受像機１００において受信チャンネルの両側に２つの隣接チャンネルの干渉波が存在する場合を示すスペクトル図である。
図２７は、第７の実施形態に係るテレビジョン受像機１００において、隣接チャンネルの干渉波が無い場合、その１波の干渉波がある場合、及びその２波の干渉波がある場合における入力信号レベルに対するＩＦＡＧＣレジスタ値及びＲＦＡＧＣレジスタ値を示すグラフである。
図２８は、第７の実施形態に係るテレビジョン受像機１００において、所望波電力に対する干渉波電力の比（Ｕ／Ｄ）に対するＩＦＡＧＣレジスタ値を示すグラフである。
図２９は、第７の実施形態に係るテレビジョン受像機１００において、ＩＦＡＧＣレジスタ値に対する入力信号レベルの表示誤差ＥＲ２を示すグラフである。
図３０は、第７の実施形態に係るコントローラ５０によって実行される表示制御処理の特徴部分を示すフローチャートである。
【発明を実施するための最良の形態】  以下、図面を参照して、本発明に係る種々の実施形態について説明する、なお、同様の構成要素については同一の符号を付している。
第１の実施形態．
図１は、本発明の第１の実施形態に係る、高周波信号レベル検出及び表示機能を備えたテレビジョン受像機１００の構成を示すブロック図である。また、図２は、図１のテレビジョン受像機１００の高周波信号レベル検出及び表示機能のための表示制御プログラムを生成するための測定制御システムの構成を示すブロック図である。
本実施形態に係るテレビジョン受像機１００は、例えばケーブルテレビジョン（以下、ＣＡＴＶという。）のデジタル放送信号を受信するためのセットトップボックス（映像信号処理は図１のＲＧＢスイッチ１７まで、音声信号処理は図１の低周波増幅器２０までの部分）を備えた高周波信号受信装置であって、高周波（ＲＦ）の信号レベルを実質的に一定に保持するように減衰器４の減衰量を制御するためのＲＦＡＧＣ電圧と、中間周波（ＩＦ）の信号レベルを実質的に一定に保持するように中間周波増幅器７の増幅度を制御するためのＩＦＡＧＣ電圧を発生するＡＧＣ回路３０を備える。ここで、上記測定制御システムのコントローラ６０は、図４に示すように、高周波信号発生器６５を制御して入力端子１に入力する高周波信号の入力信号レベルを変化させて、各入力信号レベルに対するＩＦＡＧＣレジスタ値及びＲＦＡＧＣレジスタ値の関係に基づいてそれぞれ近似関数ＡＦ１，ＡＦ２を計算し、これら近似関数ＡＦ１，ＡＦ２を含む表示制御プログラム（図５）を生成して、コントローラ５０内のプログラムメモリ５１に書き込むことを特徴としている。さらに、テレビジョン受像機１００のコントローラ５０は、図５の表示制御プログラムを実行することにより、実際に放送信号を視聴しているときに、ＩＦＡＧＣレジスタ値に基づいて近似関数ＡＦ１を用いて入力信号レベルＰｉｆを計算し、ＲＦＡＧＣレジスタ値に基づいて近似関数ＡＦ２を用いて入力信号レベルＰｒｆを計算し、これらの平均値を入力信号レベルＰｉｎとして計算して表示することを特徴としている。
まず、図１のテレビジョン受像機１００の構成及び動作について以下に詳細説明する。
図１において、入力端子１には例えば同軸ケーブルを介してＣＡＴＶの放送事業者のヘッドエンド装置が接続される。また、フロントエンド回路２は、高周波増幅器３と、ＡＧＣ回路３０内の低域通過フィルタ（ＬＰＦ）４５から出力されるＲＦＡＧＣ電圧により減衰量が制御される減衰器４と、当該テレビジョン受像機１００の放送チャンネルの周波数を制御するために、コントローラ５０によりその局部発振周波数が制御される局部発振器５と、混合器６とを備えて構成される。ヘッドエンド装置からのデジタル放送信号は入力端子１、高周波増幅器３、及び減衰器４を介して混合器６に入力される。一方、局部発振器５からの局部発振信号は混合器６に入力される。混合器６は入力される２つの信号を混合して、混合後の信号を中間周波増幅器７、ＳＡＷ帯域通過フィルタ８及び中間周波増幅器９を介してＡ／Ｄ変換器１０に出力する。ここで、ＳＡＷ帯域通過フィルタ８は、実質的に放送信号の１チャンネル分の信号成分のみを帯域通過させ、これにより、混合後の信号から放送信号の１チャンネル分の信号成分に対応する低域周波数変換された中間周波信号（以下、ＩＦ信号という。）を抽出する。さらに、Ａ／Ｄ変換器１０は入力されるＩＦ信号を所定のサンプリング周波数でデジタル信号にＡ／Ｄ変換してデジタル復調器１１及びＡＧＣ回路３０内のＲＦ−ＩＦ制御機能を備えたＡＧＣ検波回路３１に出力する。
デジタル復調器１１は誤り訂正回路を含み、入力されるデジタル信号をデジタル復調してＴＳデコーダ１２に出力する。ＴＳデコーダ１２は入力されたデジタル復調されたデジタル信号を、放送事業者のセキュリティ情報を格納したＩＣカード部１３を介してデスクランブラ１４に送ることにより、デジタル復調されたデジタル信号をデスクランブルし、デスクランブル後のデジタル信号からトランスポート・ストリーム信号（以下、ＴＳ信号という。）を抽出してＡＶデコーダ１５に出力する。ＡＶデコーダ１５は入力されるＴＳ信号からデジタル映像信号とデジタル音声信号とを復号化した後、デジタル映像信号をＲＧＢプロセッサ１６に出力するとともに、デジタル音声信号を低周波増幅器２０に出力する。ＲＧＢプロセッサ１６は、入力されるデジタル映像信号をＲＧＢ映像信号に変換してＲＧＢスイッチ１７を介して液晶ディスプレイ１８に出力する。ここで、ＲＧＢスイッチ１７は、詳細後述するようにコントローラ５０からの放送信号の入力信号レベルのデータに基づきＯＳＤ（Ｏｎ  Ｓｃｒｅｅｎ  Ｄｉｓｐｌａｙ）コントローラ１９により発生されたＲＧＢ信号を、ＲＧＢプロセッサ１６からのＲＧＢ信号に重畳させて液晶ディスプレイ１８に出力する。また、低周波増幅器２０はＡ／Ｄ変換器を含み、入力される２チャンネルのデジタル音声信号をアナログ音声信号にＡ／Ｄ変換した後、左右のスピーカ２２，２１に出力する。
ＡＧＣ回路３０は、ＲＦ−ＩＦ制御機能を含むＡＧＣ検波回路３１と、ループフィルタ３２，４２と、ＩＦＡＧＣレジスタ３２と、ＲＦＡＧＣレジスタ４２と、パルス幅変調器３４，４４と、低域通過フィルタ３５，４５とを備えて構成される。ＡＧＣ検波回路３１は、受信場所や受信チャンネルにより様々な入力信号レベルで入力される放送信号（例えば、地上デジタル放送信号を受信した場合は約９０ｄＢの入力信号レベル差、デジタルケーブルの場合は約３０ｄＢの入力信号レベル差がある。）を、後段のデジタル復調器１１が正しく復調できるようにある実質的に一定の振幅レベルに調整するために、Ａ／Ｄ変換器１０から入力されるＩＦ信号を検出し、そのＩＦ信号のレベル値からＲＦＡＧＣとＩＦＡＧＣを動作させる割合を決定し、この割合に基づいてＲＦＡＧＣ信号及びＩＦＡＧＣ信号とを発生することにより、ＲＦＡＧＣループとＩＦＡＧＣループを制御する。ＡＧＣ検波回路３１からのＩＦＡＧＣ信号は所定の低域通過フィルタであるループフィルタ３２により時間平均化された後、その信号値はＩＦＡＧＣレジスタ３３に一時的に格納され、さらに、パルス幅変調器３４は例えばΔ−Σ変調方法を用いて、ＩＦＡＧＣレジスタ３３に格納されたＩＦＡＧＣレジスタ値に従ってパルス幅を変調し、パルス幅変調されたＩＦＡＧＣ信号は帯域通過フィルタ３５を介してＩＦＡＧＣ電圧となり、中間周波増幅器７の増幅度を制御する制御信号となる。一方、ＡＧＣ検波回路３１からのＲＦＡＧＣ信号は所定の低域通過フィルタであるループフィルタ４２により時間平均化された後、その信号値はＲＦＡＧＣレジスタ４３に一時的に格納され、さらに、パルス幅変調器４４は例えばΔ−Σ変調方法を用いて、ＲＦＡＧＣレジスタ４３に格納されたＲＦＡＧＣレジスタ値に従ってパルス幅を変調し、パルス幅変調されたＩＦＡＧＣ信号は帯域通過フィルタ４５を介してＲＦＡＧＣ電圧となり、減衰器４の減衰量を制御する制御信号となる。
ここで、ＩＦＡＧＣレジスタ３３及びＲＦＡＧＣレジスタ４３にそれぞれ格納されたＩＦＡＧＣレジスタ値及びＲＦＡＧＣレジスタ値は、コントローラ５０から読み出されて、詳細後述する近似関数ＡＦ１，ＡＦ２を生成するため、並びに、入力信号レベルＰｉｎを計算するために用いられる。
コントローラ５０は、例えばマイクロコンピュータにより構成され、プログラムメモリ５１に格納されたプログラムに従って、当該テレビジョン受像機１００全体を制御し、当該プログラムの実行時に一時的に計算されるデータをデータメモリ５２に格納する。コントローラ５０には、放送チャンネルを選択するためのチャンネル番号、入力信号レベルの表示指示などを入力するための入力装置５３が接続されるとともに、コントローラ５０への入力値や設定値を表示するための液晶ディスプレイ５４が接続される。本実施形態においては、コントローラ５０は、図２のコントローラ６０により生成されてプログラムメモリ５１に格納される表示制御プログラムを実行することにより、視聴しているデジタル放送信号の入力信号レベルを計算して表示する。
図２の測定制御システムにおいて、テレビジョン受像機１００の入力端子１に高周波信号発生器６５が接続され、コントローラ６０は高周波信号発生器６５から発生される高周波信号の周波数を制御する。コントローラ６０は、例えばマイクロコンピュータにより構成され、プログラムメモリ６１に格納されたプログラムに従って、当該測定制御システム全体を制御し、当該プログラムの実行時に一時的に計算されるデータをデータメモリ６２に格納する。コントローラ６０には、表示制御プログラムの生成指示などを入力するための入力装置６３が接続されるとともに、コントローラ６０への入力値や設定値、動作状態を表示するための液晶ディスプレイ６４が接続される。本実施形態においては、コントローラ６０は、詳細後述するように、プログラムメモリ６１に格納された図４の表示制御プログラム生成処理を実行することにより、高周波信号発生器６５を制御して入力端子１に入力する高周波信号の入力信号レベルを変化させて、各入力信号レベルに対するＩＦＡＧＣレジスタ値及びＲＦＡＧＣレジスタ値の関係に基づいてそれぞれ近似関数ＡＦ１，ＡＦ２を計算し、これら近似関数ＡＦ１，ＡＦ２を含む表示制御プログラム（図５）を生成して、コントローラ５０内のプログラムメモリ５１に書き込む。
図３は、米国におけるＣＡＴＶの放送信号のチャンネル配置の一例を示す図である。図３から明らかなように、米国におけるＣＡＴＶの放送信号のチャンネルは、第２チャンネルの５７ＭＨｚの放送信号から、第６３チャンネルの４５９ＭＨｚの放送信号を経て、第１３５チャンネルの８６１ＭＨｚの放送信号までを含んでいる。
図４は、図２の測定制御システムのコントローラ６０によって実行される表示制御プログラム生成処理を示すフローチャートである。
図４において、まず、ステップＳ１において、高周波信号発生器６５を制御して、入力端子１に入力する、例えば概略中心周波数４５９ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ２において、各入力信号レベルに対するＩＦＡＧＣレジスタ値の関係を示すデータに基づいて当該関係の近似関数ＡＦ１を計算し、ステップＳ３において、各入力信号レベルに対するＲＦＡＧＣレジスタ値の関係を示すデータに基づいて当該関係の近似関数ＡＦ２を計算する。さらに、ステップＳ４において、上記計算された近似関数ＡＦ１，ＡＦ２を含む表示制御プログラム（図５）を生成してコントローラ５０内のプログラムメモリ５１に書き込み、当該表示制御プログラム生成処理を終了する。ここで、近似関数は、例えばｙ＝ａｘ３＋ｂｘ２＋ｃｘ＋ｄなどの３次方程式の形式で、例えば最小２乗法などの数値計算法を用いて計算することができ、近似関数の形式や、その計算方法は後述の他の実施形態においても同様である。
図５は、図１のコントローラ５０によって実行される表示制御処理を示すフローチャートである。
図５において、まず、ステップＳ１１において、入力信号レベルの表示指示が入力装置５３から入力されたか否かが判断され、ＹＥＳのときはステップＳ１２に進む一方、ＮＯのときはステップＳ１１に戻る。次いで、ステップＳ１２において、ＩＦＡＧＣレジスタ３３からＩＦＡＧＣレジスタ値を読み出し、ＲＦＡＧＣレジスタ４３からＲＦＡＧＣレジスタ値を読み出す。ステップＳ１３において、読み出されたＩＦＡＧＣレジスタ値に基づいて、近似関数ＡＦ１を用いて入力信号レベルＰｉｆを計算し、ステップＳ１４において、読み出されたＲＦＡＧＣレジスタ値に基づいて、近似関数ＡＦ２を用いて入力信号レベルＰｒｆを計算する。さらに、ステップＳ１５において、計算された入力信号レベルＰｉｆ及びＰｒｆに基づいて、次式（１）を用いてそれらの平均値を入力信号レベルＰｉｎとして計算する。
Ｐｉｎ＝（Ｐｉｆ＋Ｐｒｆ）／２      （１）
さらに、ステップＳ１６において、計算された入力信号レベルＰｉｎを表示するための表示データを生成してＯＳＤコントローラ１９に出力し、ステップＳ１１に戻る。
図６は、図１のテレビジョン受像機１００における入力信号レベルに対するＲＦＡＧＣレジスタ値及びＩＦＡＧＣレジスタ値の測定結果の一例を示すグラフである。図６から明らかなように、ＲＦＡＧＣレジスタ値は、入力信号レベルを増大させるにつれて、入力信号レベルが約−６ｄＢｍＶまでは減衰器４の減衰量が最小となってＲＦ利得は最大に設定されて実質的に一定であるが、入力信号レベルが約−６ｄＢｍＶを超えると次第に低下する特性を有している。一方、ＩＦＡＧＣレジスタ値は、入力信号レベルを増大するにつれて、入力信号レベルが約−６ｄＢｍＶまでは次第に低下するが、入力信号レベルが約−６ｄＢｍＶを超えるとほぼ一定となる特性を有している。
図７は、図６のＲＦＡＧＣレジスタ値に対する入力信号レベルの関係の測定結果を、所定の近似関数を用いて近似したときの近似関数ＡＦ２を示すグラフである。図７から明らかなように、入力信号レベルが−５ｄＢｍＶから−１０ｄＢｍＶまでの範囲で若干誤差が発生するが、それ以外は概ね測定値に沿って近似関数ＡＦ２が得られている。
図８は、図６のＩＦＡＧＣレジスタ値に対する入力信号レベルの関係の測定結果を、所定の近似関数を用いて近似したときの近似関数ＡＦ１を示すグラフである。図８から明らかなように、入力信号レベルが−１０ｄＢｍＶから０ｄＢｍＶまでの範囲で若干誤差が発生するが、それ以外は概ね測定値に沿って近似関数ＡＦ１が得られている。
以上説明したように、第１の実施形態に係る図５の表示制御処理によれば、デジタル放送信号を視聴しているときに、ＩＦＡＧＣレジスタ値に基づいて近似関数ＡＦ１を用いて入力信号レベルＰｉｆを計算し、ＲＦＡＧＣレジスタ値に基づいて近似関数ＡＦ２を用いて入力信号レベルＰｒｆを計算し、これらの平均値を入力信号レベルＰｉｎとして計算して表示しているので、上述の図７と図８の誤差を平均化することができ、受信される放送信号の入力信号レベルを従来技術に比較して高精度で検出して表示できる。
第２の実施形態．
図９は、本発明の第２の実施形態に係るテレビジョン受像機１００において用いる、２分割された周波数範囲ＦＲ１，ＦＲ２を示す図である。第２の実施形態においては、デジタル放送信号の入力信号レベルを検出するときに、放送信号の周波数に応じて、図６の特性が変化することに着目し、ＣＡＴＶの放送信号のすべてのチャンネルの周波数範囲を図９のように第１の周波数範囲ＦＲ１と第２の周波数範囲ＦＲ２とに２分割して、第１の周波数範囲ＦＲ１の概略中心周波数ｆ１ｃにおける入力信号レベルとＩＦＡＧＣレジスタ値との関係の近似関数ＡＦ１１及び入力信号レベルとＲＦＡＧＣレジスタ値との関係の近似関数ＡＦ１２と、第２の周波数範囲ＦＲ２の概略中心周波数ｆ２ｃにおける入力信号レベルとＩＦＡＧＣレジスタ値との関係の近似関数ＡＦ２１及び入力信号レベルとＲＦＡＧＣレジスタ値との関係の近似関数ＡＦ２２とを計算しておき、視聴するチャンネルの周波数範囲に応じて対応する２つの近似関数を用いて入力信号レベルＰｉｆ，Ｐｒｆを計算した後、第１の実施形態のようにこれらの入力信号レベルＰｉｆ，Ｐｒｆを平均化して入力信号レベルＰｉｎを求めることを特徴としている。
図１０は、第２の実施形態に係る測定制御システムのコントローラ６０によって実行される表示制御プログラム生成処理を示すフローチャートである。
図１０において、まず、ステップＳ２１において、高周波信号発生器６５を制御して、入力端子１に入力する第１の周波数範囲ＦＲ１の概略中心周波数ｆ１ｃ＝２５５ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ２２において、高周波信号発生器６５を制御して、入力端子１に入力する第２の周波数範囲ＦＲ２の概略中心周波数ｆ２ｃ＝６６３ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。そして、ステップＳ２３において、第１の周波数範囲ＦＲ１の各入力信号レベルに対するＩＦＡＧＣレジスタ値の関係を示すデータに基づいて当該関係の近似関数ＡＦ１１を計算し、ステップＳ２４において、第１の周波数範囲ＦＲ１の各入力信号レベルに対するＲＦＡＧＣレジスタ値の関係を示すデータに基づいて当該関係の近似関数ＡＦ１２を計算する。さらに、ステップＳ２５において、第２の周波数範囲ＦＲ２の各入力信号レベルに対するＩＦＡＧＣレジスタ値の関係を示すデータに基づいて当該関係の近似関数ＡＦ２１を計算し、ステップＳ２６において、第２の周波数範囲ＦＲ２の各入力信号レベルに対するＲＦＡＧＣレジスタ値の関係を示すデータに基づいて当該関係の近似関数ＡＦ２２を計算する。さらに、ステップＳ２７において、上記計算された各近似関数ＡＦ１１，ＡＦ１２，ＡＦ２１，ＡＦ２２を含む表示制御プログラム（図１１）を生成してコントローラ５０内のプログラムメモリ５１に書き込み、当該表示制御プログラム生成処理を終了する。
図１１は、第２の実施形態に係るコントローラ５０によって実行される表示制御処理を示すフローチャートである。
図１１において、まず、ステップＳ３１において、入力信号レベルの表示指示が入力装置５３から入力されたか否かが判断され、ＹＥＳのときはステップＳ３２に進む一方、ＮＯのときはステップＳ３１に戻る。ステップＳ３２において、ＩＦＡＧＣレジスタ３３からＩＦＡＧＣレジスタ値を読み出し、ＲＦＡＧＣレジスタ４３からＲＦＡＧＣレジスタ値を読み出す。次いで、ステップＳ３３において、現在の受信周波数ｆｒｅｃは第１の周波数範囲ＦＲ１内であるか否かが判断され、ＹＥＳのときはステップＳ３４に進む一方、ＮＯのときはステップＳ３６に進む。ステップＳ３４において、読み出されたＩＦＡＧＣレジスタ値に基づいて、近似関数ＡＦ１１を用いて入力信号レベルＰｉｆを計算し、ステップＳ３５において、読み出されたＲＦＡＧＣレジスタ値に基づいて、近似関数ＡＦ１２を用いて入力信号レベルＰｒｆを計算し、ステップＳ３８に進む。一方、ステップＳ３６において、読み出されたＩＦＡＧＣレジスタ値に基づいて、近似関数ＡＦ２１を用いて入力信号レベルＰｉｆを計算し、ステップＳ３７において、読み出されたＲＦＡＧＣレジスタ値に基づいて、近似関数ＡＦ２２を用いて入力信号レベルＰｒｆを計算し、ステップＳ３８に進む。さらに、ステップＳ３８において、計算された入力信号レベルＰｉｆ及びＰｒｆに基づいて式（１）を用いてそれらの平均値を入力信号レベルＰｉｎとして計算し、ステップＳ３９において、計算された入力信号レベルＰｉｎを表示するための表示データを生成してＯＳＤコントローラ１９に出力し、ステップＳ３１に戻る。
以上説明したように、第２の実施形態に係る図１１の表示制御処理によれば、デジタル放送信号を視聴しているときに、ＩＦＡＧＣレジスタ値に基づいて視聴しているデジタル放送信号の周波数に含まれる周波数範囲ＦＲ１又はＦＲ２に対応する近似関数ＡＦ１１又はＡＦ２１を用いて入力信号レベルＰｉｆを計算し、ＲＦＡＧＣレジスタ値に基づいて視聴しているデジタル放送信号の周波数に含まれる周波数範囲ＦＲ１又はＦＲ２に対応する近似関数ＡＦ１２又はＡＦ２２を用いて入力信号レベルＰｒｆを計算し、これらの平均値を入力信号レベルＰｉｎとして計算して表示しているので、上述の図７と図８の誤差を平均化するとともに、放送信号の周波数の変化による誤差を実質的に解消することができ、受信される放送信号の入力信号レベルを従来技術に比較して高精度で検出して表示できる。
以上の実施形態においては、放送信号の周波数範囲を２つの周波数範囲ＦＲ１，ＦＲ２に分割しているが、３つ以上の複数の周波数範囲に分割して近似関数を計算してもよい。これについては、後述する実施形態においても同様である。
第３の実施形態．
図１２は、本発明の第３の実施形態に係るテレビジョン受像機１００において用いる、２分割された各周波数範囲ＦＲ１，ＦＲ２における最低周波数ｆ１ｍｉｎ，ｆ２ｍｉｎ及び最高周波数ｆ１ｍａｘ，ｆ２ｍａｘ及び受信周波数ｆｒｅｃを示す図である。第３の実施形態においては、デジタル放送信号の入力信号レベルを検出するときに、放送信号の周波数に応じて、図６の特性が変化することに着目し、ＣＡＴＶの放送信号のすべてのチャンネルの周波数範囲を図９のように第１の周波数範囲ＦＲ１と第２の周波数範囲ＦＲ２とに２分割して、
（ａ）第１の周波数範囲ＦＲ１の最低周波数ｆ１ｍｉｎにおける入力信号レベルとＩＦＡＧＣレジスタ値との関係の近似関数ＡＦ３１ａ及び入力信号レベルとＲＦＡＧＣレジスタ値との関係の近似関数ＡＦ３１ｂと、
（ｂ）第１の周波数範囲ＦＲ１の最高周波数ｆ１ｍａｘ及び第２の周波数範囲ＦＲ２の最低周波数ｆ２ｍｉｎにおける入力信号レベルとＩＦＡＧＣレジスタ値との関係の近似関数ＡＦ３２ａ＝ＡＦ４１ａ及び入力信号レベルとＲＦＡＧＣレジスタ値との関係の近似関数ＡＦ３２ｂ＝ＡＦ４１ｂと、
（ｃ）第２の周波数範囲ＦＲ２の最高周波数ｆ１ｍａｘにおける入力信号レベルとＩＦＡＧＣレジスタ値との関係の近似関数ＡＦ４２ａ及び入力信号レベルとＲＦＡＧＣレジスタ値との関係の近似関数ＡＦ４２ｂと、
を計算しておき、視聴するチャンネルの周波数範囲の最低周波数及び最高周波数においてそれぞれ対応する２つの近似関数を用いて、入力信号レベルＰｉｆ，Ｐｒｆを計算した後、第１の実施形態のようにこれらの入力信号レベルＰｉｆ，Ｐｒｆを平均化して、当該周波数範囲の最低周波数及び最高周波数における入力信号レベルの平均値Ｐｆｍｉｎ及びＰｆｍａｘを計算し、さらに、計算された入力信号レベルの平均値Ｐｆｍｉｎ及びＰｆｍａｘに基づいて、所定の周波数範囲の最低周波数と最高周波数との間において、周波数に対して入力信号レベルは線形に変化するという仮定のもとで、受信周波数に対して入力信号レベルを線形近似する線形近似法により次式（２）を用いて入力信号レベルＰｉｎを求めることを特徴としている。
2004095725.tif 000003
ここで、ｆｒｅｃは受信周波数であり、ｎは第１の周波数範囲ＦＲ１のとき１であり、第２の周波数範囲ＦＲ２のとき２である。
図１３及び図１４は、第３の実施形態に係る測定制御システムのコントローラ６０によって実行される表示制御プログラム生成処理を示すフローチャートである。
図１３において、まず、ステップＳ４１において、高周波信号発生器６５を制御して、入力端子１に入力する第１の周波数範囲ＦＲ１の最小周波数ｆ１ｍｉｎ＝５７ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ４２において、高周波信号発生器６５を制御して、入力端子１に入力する第１の周波数範囲ＦＲ１の最大周波数ｆ１ｍａｘ及び第２の周波数範囲ＦＲ２の最小周波数ｆ２ｍｉｎ＝４５９ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。さらに、ステップＳ４３において、高周波信号発生器６５を制御して、入力端子１に入力する第２の周波数範囲ＦＲ２の最大周波数ｆ２ｍａｘ＝８６１ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。そして、ステップＳ４４において、第１の周波数範囲ＦＲ１の最小周波数ｆ１ｍｉｎにおける各入力信号レベルに対するＩＦＡＧＣレジスタ値の関係を示すデータに基づいて当該関係の近似関数ＡＦ３１ａを計算し、ステップＳ４５において、第１の周波数範囲ＦＲ１の最小周波数ｆ１ｍｉｎにおける各入力信号レベルに対するＲＦＡＧＣレジスタ値の関係を示すデータに基づいて当該関係の近似関数ＡＦ３１ｂを計算して、図１４のステップＳ４６に進む。
図１４のステップＳ４６において、第１の周波数範囲ＦＲ１の最大周波数ｆ１ｍａｘ及び第２の周波数範囲ＦＲ２の最小周波数ｆ２ｍｉｎにおける各入力信号レベルに対するＩＦＡＧＣレジスタ値の関係を示すデータに基づいて当該関係の近似関数ＡＦ３２ａ＝ＡＦ４１ａを計算し、ステップＳ４７において、第１の周波数範囲ＦＲ１の最大周波数ｆ１ｍａｘ及び第２の周波数範囲ＦＲ２の最小周波数ｆ２ｍｉｎにおける各入力信号レベルに対するＲＦＡＧＣレジスタ値の関係を示すデータに基づいて当該関係の近似関数ＡＦ３２ｂ＝ＡＦ４１ｂを計算する。次いで、ステップＳ４８において、第２の周波数範囲ＦＲ２の最大周波数ｆ２ｍａｘにおける各入力信号レベルに対するＩＦＡＧＣレジスタ値の関係を示すデータに基づいて当該関係の近似関数ＡＦ４２ａを計算し、ステップＳ４９において、第２の周波数範囲ＦＲ２の最大周波数ｆ２ｍａｘにおける各入力信号レベルに対するＲＦＡＧＣレジスタ値の関係を示すデータに基づいて当該関係の近似関数ＡＦ４２ｂを計算する。さらに、ステップＳ５０において、上記計算された各近似関数ＡＦ３１ａ，ＡＦ３１ｂ，ＡＦ３２ａ＝ＡＦ４１ａ，ＡＦ３２ｂ＝ＡＦ４１ｂ，ＡＦ４２ａ，ＡＦ４２ｂを含む表示制御プログラム（図１５）を生成してコントローラ５０内のプログラムメモリ５１に書き込み、当該表示制御プログラム生成処理を終了する。
図１５は、第３の実施形態に係るコントローラ５０によって実行される表示制御処理を示すフローチャートである。
図１５において、まず、ステップＳ５１において、入力信号レベルの表示指示が入力装置５３から入力されたか否かが判断され、ＹＥＳのときはステップＳ５２に進む一方、ＮＯのときはステップＳ５１に戻る。ステップＳ５２において、ＩＦＡＧＣレジスタ３３からＩＦＡＧＣレジスタ値を読み出し、ＲＦＡＧＣレジスタ４３からＲＦＡＧＣレジスタ値を読み出す。次いで、ステップＳ５３において、現在の受信周波数ｆｒｅｃは第１の周波数範囲ＦＲ１であるか否かが判断され、ＹＥＳのときはステップＳ５４に進む一方、ＮＯのときはステップＳ５６に進む。
ステップＳ５４において、読み出されたＩＦＡＧＣレジスタ値に基づいて、近似関数ＡＦ３１ａを用いて最小周波数ｆ１ｍｉｎにおける入力信号レベルＰｉｆを計算するとともに読み出されたＲＦＡＧＣレジスタ値に基づいて、近似関数ＡＦ３１ｂを用いて最小周波数ｆ１ｍｉｎにおける入力信号レベルＰｒｆを計算し、これらの平均値Ｐｆｍｉｎ＝（Ｐｉｆ＋Ｐｒｆ）／２を計算する。次いで、ステップＳ５５において、読み出されたＩＦＡＧＣレジスタ値に基づいて、近似関数ＡＦ３２ａを用いて最大周波数ｆ１ｍａｘにおける入力信号レベルＰｉｆを計算するとともに読み出されたＲＦＡＧＣレジスタ値に基づいて、近似関数ＡＦ３２ｂを用いて最大周波数ｆ１ｍａｘにおける入力信号レベルＰｒｆを計算し、これらの平均値Ｐｆｍａｘ＝（Ｐｉｆ＋Ｐｒｆ）／２を計算し、ステップＳ５８に進む。
ステップＳ５６において、読み出されたＩＦＡＧＣレジスタ値に基づいて、近似関数ＡＦ４１ａを用いて最小周波数ｆ２ｍｉｎにおける入力信号レベルＰｉｆを計算するとともに読み出されたＲＦＡＧＣレジスタ値に基づいて、近似関数ＡＦ４１ｂを用いて最小周波数ｆ２ｍｉｎにおける入力信号レベルＰｒｆを計算し、これらの平均値Ｐｆｍｉｎ＝（Ｐｉｆ＋Ｐｒｆ）／２を計算する。次いで、ステップＳ５７において、読み出されたＩＦＡＧＣレジスタ値に基づいて、近似関数ＡＦ４２ａを用いて最大周波数ｆ２ｍａｘにおける入力信号レベルＰｉｆを計算するとともに読み出されたＲＦＡＧＣレジスタ値に基づいて、近似関数ＡＦ４２ｂを用いて最大周波数ｆ２ｍａｘにおける入力信号レベルＰｒｆを計算し、これらの平均値Ｐｆｍａｘ＝（Ｐｉｆ＋Ｐｒｆ）／２を計算し、ステップＳ５８に進む。
さらに、ステップＳ５８において、計算された入力信号レベルＰｆｍｉｎ及びＰｆｍａｘに基づいて、線形近似法により式（２）を用いて入力信号レベルＰｉｎを計算し、ステップＳ５９において、計算された入力信号レベルＰｉｎを表示するための表示データを生成してＯＳＤコントローラ１９に出力した後、ステップＳ５１に戻る。
以上説明したように、第３の実施形態に係る図１５の表示制御処理によれば、デジタル放送信号を視聴しているときに、ＩＦＡＧＣレジスタ値に基づいて視聴しているデジタル放送信号の周波数に含まれる周波数範囲ＦＲ１又はＦＲ２における最低周波数における近似関数を用いて入力信号レベルＰｉｆを計算し、ＲＦＡＧＣレジスタ値に基づいて視聴しているデジタル放送信号の周波数に含まれる周波数範囲ＦＲ１又はＦＲ２における最低周波数における近似関数を用いて入力信号レベルＰｒｆを計算し、これらの平均値を最低周波数の入力信号レベルＰｆｍｉｎとして計算するとともに、ＩＦＡＧＣレジスタ値に基づいて視聴しているデジタル放送信号の周波数に含まれる周波数範囲ＦＲ１又はＦＲ２における最高周波数における近似関数を用いて入力信号レベルＰｉｆを計算し、ＲＦＡＧＣレジスタ値に基づいて視聴しているデジタル放送信号の周波数に含まれる周波数範囲ＦＲ１又はＦＲ２における最高周波数における近似関数を用いて入力信号レベルＰｒｆを計算し、これらの平均値を最低周波数の入力信号レベルＰｆｍｉｎとして計算し、当該周波数範囲の最低周波数の入力信号レベルＰｆｍｉｎと、当該周波数範囲の最高周波数の入力信号レベルＰｆｍａｘとを用いて、線形近似法により式（２）を用いて入力信号レベルＰｉｎを計算して表示している。従って、上述の図７と図８の誤差を平均化するとともに、放送信号の周波数の変化による誤差を、最低周波数と最大周波数からの周波数ずれを考慮して補正することができ、受信される放送信号の入力信号レベルを従来技術に比較して高精度で検出して表示できる。
第４の実施形態．
図１６は、第４の実施形態に係る測定制御システムのコントローラ６０によって実行される表示制御プログラム生成処理を示すフローチャートである。図１７は、第４の実施形態に係るコントローラ５０によって実行される表示制御処理を示すフローチャートである。
第４の実施形態では、図６のグラフから明らかなように、ＩＦＡＧＣレジスタ値が最大値であるとき（入力信号レベルが所定のしきい値（図６では約−６ｄＢｍＶ）より小さいレベルのとき）、入力信号レベルに対して概略ＩＦＡＧＣレジスタ値のみが変化するが、ＩＦＡＧＣレジスタ値が最大値でないとき（入力信号レベルが上記しきい値を超えるレベルのとき）、入力信号レベルに対して概略ＲＦＡＧＣレジスタ値のみが変化することに着目し、前者の場合はＩＦＡＧＣレジスタ値に基づいて入力信号レベルを検出する一方、後者の場合はＲＦＡＧＣレジスタ値に基づいて入力信号レベルを検出することを特徴としている。具体的には、測定されたＲＦＡＧＣレジスタ値の最大値を検索し、ＲＦＡＧＣレジスタ値が最大値を有するとき（図１の減衰器４の減衰量が最小値のときで高周波信号に対する利得が最大値であるとき）の入力信号レベルの範囲を検索し、その範囲を第１のレベル範囲ＬＲ１とし、ＲＦＡＧＣレジスタ値が最大値を有しないときの入力信号レベルの範囲を第２のレベル範囲ＬＲ２とし、第１のレベル範囲ＬＲ１のとき、ＩＦＡＧＣレジスタ値に基づいて当該範囲ＬＲ１の近似関数ＡＦ５１を用いて入力信号レベルＰｉｎを計算する一方、第２のレベル範囲ＬＲ２のとき、ＲＦＡＧＣレジスタ値に基づいて当該範囲ＬＲ２の近似関数ＡＦ５２を用いて入力信号レベルＰｉｎを計算する。
図１６の表示制御プログラム生成処理において、まず、ステップＳ６１において、高周波信号発生器６５を制御して、入力端子１に入力する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値を測定してデータメモリ６２に格納する。次いで、ステップＳ６２において、測定されたＲＦＡＧＣレジスタ値に基づいてＲＦＡＧＣレジスタ値の最大値を検索してデータメモリ６２に格納し、ＲＦＡＧＣレジスタ値が最大値を有するときの入力信号レベルの範囲を検索し、その範囲を第１のレベル範囲ＬＲ１とし、ＲＦＡＧＣレジスタ値が最大値を有しないときの入力信号レベルの範囲を第２のレベル範囲ＬＲ２とする。そして、ステップＳ６３において、第１のレベル範囲ＬＲ１の各入力信号レベルに対するＩＦＡＧＣレジスタ値の関係を示すデータに基づいて当該関係の近似関数ＡＦ５１を計算し、ステップＳ６４において、第２のレベル範囲ＬＲ２の各入力信号レベルに対するＲＦＡＧＣレジスタ値の関係を示すデータに基づいて当該関係の近似関数ＡＦ５２を計算する。さらに、ステップＳ６５において、上記計算された近似関数ＡＦ５１，ＡＦ５２を含む表示制御プログラム（図１７）を生成してコントローラ５０内のプログラムメモリ５１に書き込み、当該表示制御プログラム生成処理を終了する。
図１７の表示制御処理において、ステップＳ７１において、入力信号レベルの表示指示が入力装置５３から入力されたか否かが判断され、ＹＥＳのときはステップＳ７２に進む一方、ＮＯのときはステップＳ７１に戻る。ステップＳ７２においては、ＩＦＡＧＣレジスタ３３からＩＦＡＧＣレジスタ値を読み出し、ＲＦＡＧＣレジスタ４３からＲＦＡＧＣレジスタ値を読み出す。そして、ステップＳ７３において、読み出されたＲＦＡＧＣレジスタ値はＲＦＡＧＣレジスタ値の最大値であるか否かが判断され、ＹＥＳのときはステップＳ７４に進む一方、ＮＯのときはステップＳ７５に進む。ステップＳ７４において、読み出されたＩＦＡＧＣレジスタ値に基づいて、近似関数ＡＦ５１を用いて入力信号レベルＰｉｎを計算した後、ステップＳ７６に進む。一方、ステップＳ７５において、読み出されたＲＦＡＧＣレジスタ値に基づいて、近似関数ＡＦ５２を用いて入力信号レベルＰｉｎを計算した後、ステップＳ７６に進む。さらに、ステップＳ７６では、計算された入力信号レベルＰｉｎを表示するための表示データを生成してＯＳＤコントローラ１９に出力し、ステップＳ７１に戻る。
図１８は、ＲＦＡＧＣレジスタ値に対する、所定のしきい値以上の入力信号レベルの関係の測定結果を、所定の近似関数を用いて近似したときの近似関数ＡＦ５２を示すグラフである。図１９は、ＩＦＡＧＣレジスタ値に対する、所定のしきい値以下の入力信号レベルの関係の測定結果を、所定の近似関数を用いて近似したときの近似関数ＡＦ５１を示すグラフである。図１８及び図１９から明らかなように、各グラフとも、ＲＦＡＧＣレジスタ値及びＩＦＡＧＣレジスタ値からそれぞれ一意に入力信号レベルを検出することができる。これは以下の理由による。図１７のステップＳ７３における入力信号レベルの条件分けをしないときは、図７及び図８のグラフから明らかなように、１次関数の部分（直線部分）と２次関数（曲線部分）が存在し、特に、１次関数と２次関数との間付近において、近似関数と実際の入力信号レベルとの間に誤差が発生する。一方、本実施形態のごとく、図１７のステップＳ７３における入力信号レベルの条件分けをすることにより、これら２種類の関数が同じグラフ上に存在しないため、近似関数の算出誤差が小さいので、入力信号レベルの検出精度が大幅に向上するという特有の利点がある。
第５の実施形態．
図２０及び図２１は、第５の実施形態に係る測定制御システムのコントローラ６０によって実行される表示制御プログラム生成処理を示すフローチャートである。図２２は、第５の実施形態に係るコントローラ５０によって実行される表示制御処理を示すフローチャートである。
第５の実施形態では、第４の実施形態に係る入力信号レベルの条件分けに加えて、第２の実施形態に係る周波数範囲の分割による近似関数の計算を用いたことを特徴としている。
図２０の表示制御プログラム生成処理において、まず、ステップＳ８１において、高周波信号発生器６５を制御して、入力端子１に入力する第１の周波数範囲ＦＲ１の概略中心周波数ｆ１ｃ＝２５５ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ８２において、第１の周波数範囲ＦＲ１について測定されたＲＦＡＧＣレジスタ値に基づいてＲＦＡＧＣレジスタ値の最大値を検索してデータメモリ６２に格納し、ＲＦＡＧＣレジスタ値が最大値を有するときの入力信号レベルの範囲を検索し、その範囲を第１の周波数範囲ＦＲ１のレベル範囲ＬＲ１１とし、ＲＦＡＧＣレジスタ値が最大値を有しないときの入力信号レベルの範囲を第１の周波数範囲ＦＲ１のレベル範囲ＬＲ１２とする。そして、ステップＳ８３において、レベル範囲ＬＲ１１の各入力信号レベルに対するＩＦＡＧＣレジスタ値の関係を示すデータに基づいて当該関係の近似関数ＡＦ６１を計算し、ステップＳ８４において、レベル範囲ＬＲ１２の各入力信号レベルに対するＲＦＡＧＣレジスタ値の関係を示すデータに基づいて当該関係の近似関数ＡＦ６２を計算する。さらに、ステップＳ８５において、高周波信号発生器６５を制御して、入力端子１に入力する第２の周波数範囲ＦＲ２の概略中心周波数ｆ２ｃ＝２５５ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納し、図２１のステップＳ８６に進む。
図２１のステップＳ８６において、第２の周波数範囲ＦＲ２について測定されたＲＦＡＧＣレジスタ値に基づいてＲＦＡＧＣレジスタ値の最大値を検索してデータメモリ６２に格納し、ＲＦＡＧＣレジスタ値が最大値を有するときの入力信号レベルの範囲を検索し、その範囲を第２の周波数範囲ＦＲ２のレベル範囲ＬＲ２１とし、ＲＦＡＧＣレジスタ値が最大値を有しないときの入力信号レベルの範囲を第２の周波数範囲ＦＲ２のレベル範囲ＬＲ２２とする。次いで、ステップＳ８７において、レベル範囲ＬＲ２１の各入力信号レベルに対するＩＦＡＧＣレジスタ値の関係を示すデータに基づいて当該関係の近似関数ＡＦ７１を計算し、ステップＳ８８において、レベル範囲ＬＲ２２の各入力信号レベルに対するＲＦＡＧＣレジスタ値の関係を示すデータに基づいて当該関係の近似関数ＡＦ７２を計算する。さらに、ステップＳ８９において、上記計算された近似関数ＡＦ６１、ＡＦ６２，ＡＦ７１，ＡＦ７２を含む表示制御プログラム（図２２）を生成してコントローラ５０内のプログラムメモリ５１に書き込み、当該表示制御プログラム生成処理を終了する。
図２２の表示制御処理において、まず、ステップＳ９１において、入力信号レベルの表示指示が入力装置５３から入力されたか否かが判断され、ＹＥＳのときはステップＳ９２に進む一方、ＮＯのときはステップＳ９１に戻る。次いで、ステップＳ９２において、ＩＦＡＧＣレジスタ３３からＩＦＡＧＣレジスタ値を読み出し、ＲＦＡＧＣレジスタ４３からＲＦＡＧＣレジスタ値を読み出し、ステップＳ９３において、現在の受信周波数は第１の周波数範囲ＦＲ１であるか否かが判断され、ＹＥＳのときはステップＳ９４に進む一方、ＮＯのときはステップＳ９７に進む。そして、ステップＳ９４において、読み出されたＲＦＡＧＣレジスタ値はＲＦＡＧＣレジスタ値の最大値であるか否かが判断され、ＹＥＳのときはステップＳ９５に進む一方、ＮＯのときはステップＳ９６に進む。ステップＳ９５では、読み出されたＩＦＡＧＣレジスタ値に基づいて、近似関数ＡＦ６１を用いて入力信号レベルＰｉｎを計算し、ステップＳ１００に進む。一方、ステップＳ９６において、読み出されたＲＦＡＧＣレジスタ値に基づいて、近似関数ＡＦ６２を用いて入力信号レベルＰｉｎを計算し、ステップＳ１００に進む。
次いで、ステップＳ９７において、読み出されたＲＦＡＧＣレジスタ値はＲＦＡＧＣレジスタ値の最大値であるか否かが判断され、ＹＥＳのときはステップＳ９８に進む一方、ＮＯのときはステップＳ９９に進む。ステップＳ９８において、読み出されたＩＦＡＧＣレジスタ値に基づいて、近似関数ＡＦ７１を用いて入力信号レベルＰｉｎを計算し、ステップＳ１００に進む。一方、ステップＳ９９では、読み出されたＲＦＡＧＣレジスタ値に基づいて、近似関数ＡＦ７２を用いて入力信号レベルＰｉｎを計算し、ステップＳ１００に進む。さらに、ステップＳ１００において、計算された入力信号レベルＰｉｎを表示するための表示データを生成してＯＳＤコントローラ１９に出力し、ステップＳ９１に戻る。
以上説明したように、第５の実施形態によれば、第４の実施形態に係る入力信号レベルの条件分けに加えて、第２の実施形態に係る周波数範囲の分割による近似関数の計算を用いることにより、さらに、高周波信号の入力信号レベルの検出精度を大幅に改善できる。
第６の実施形態．
図２３及び図２４は、第６の実施形態に係る測定制御システムのコントローラ６０によって実行される表示制御プログラム生成処理を示すフローチャートである。図２５は、第６の実施形態に係るコントローラ５０によって実行される表示制御処理を示すフローチャートである。
第６の実施形態では、第４の実施形態に係る入力信号レベルの条件分け、並びに、第２の実施形態に係る周波数範囲の分割による近似関数の計算を用いたことに加えて、第４の実施形態に係るＲＦＡＧＣレジスタ値が最大値であるか否かに基づく条件分けに基づいて入力信号レベルを検出することを特徴としている。
図２３の表示制御プログラム生成処理において、ステップＳ１０１において、高周波信号発生器６５を制御して、入力端子１に入力する第１の周波数範囲ＦＲ１の最小周波数ｆ１ｍｉｎ＝５７ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ１０２において、高周波信号発生器６５を制御して、入力端子１に入力する第１の周波数範囲ＦＲ１の最大周波数ｆ１ｍａｘ及び第２の周波数範囲ＦＲ２の最小周波数ｆ２ｍｉｎ＝４５９ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。さらに、ステップＳ１０３において、高周波信号発生器６５を制御して、入力端子１に入力する第２の周波数範囲ＦＲ２の最大周波数ｆ２ｍａｘ＝８６１ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。
また、ステップＳ１０４において、第１の周波数範囲ＲＦ１の最小周波数ｆ１ｍｉｎについて測定されたＲＦＡＧＣレジスタ値に基づいてＲＦＡＧＣレジスタ値の最大値を検索して第１の周波数範囲ＲＦ１のＲＦＡＧＣレジスタ値の最大値としてデータメモリ６２に格納し、ＲＦＡＧＣレジスタ値が最大値を有するときの入力信号レベルの範囲を検索し、その範囲を第１の周波数範囲ＲＦ１のレベル範囲ＬＲ１１とし、ＲＦＡＧＣレジスタ値が最大値を有しないときの入力信号レベルの範囲を第１の周波数範囲ＲＦ１のレベル範囲ＬＲ１２とする。次いで、ステップＳ１０５において、第２の周波数範囲ＲＦ２の最小周波数ｆ２ｍｉｎについて測定されたＲＦＡＧＣレジスタ値に基づいてＲＦＡＧＣレジスタ値の最大値を検索して第２の周波数範囲ＲＦ２のＲＦＡＧＣレジスタ値の最大値としてデータメモリ６２に格納し、ＲＦＡＧＣレジスタ値が最大値を有するときの入力信号レベルの範囲を検索し、その範囲を第２の周波数範囲ＲＦ２のレベル範囲ＬＲ２１とし、ＲＦＡＧＣレジスタ値が最大値を有しないときの入力信号レベルの範囲を第２の周波数範囲ＲＦ２のレベル範囲ＬＲ２２とする。
図２４のステップＳ１０６において、第１の周波数範囲ＲＦ１の最小周波数ｆ１ｍｉｎにおいてレベル範囲ＬＲ１１の各入力信号レベルに対するＩＦＡＧＣレジスタ値の関係を示すデータに基づいて当該関係の近似関数ＡＦ８１ａを計算し、ステップＳ１０７において、第１の周波数範囲ＲＦ１の最小周波数ｆ１ｍｉｎにおいてレベル範囲ＬＲ１２の各入力信号レベルに対するＲＦＡＧＣレジスタ値の関係を示すデータに基づいて当該関係の近似関数ＡＦ８１ｂを計算する。次いで、ステップＳ１０８において、第１の周波数範囲ＲＦ１の最大周波数ｆ１ｍａｘ及び第２の周波数範囲ＲＦ２の最小周波数ｆ２ｍｉｎにおいてレベル範囲ＬＲ２１の各入力信号レベルに対するＩＦＡＧＣレジスタ値の関係を示すデータに基づいて当該関係の近似関数ＡＦ８２ａ＝ＡＦ９１ａを計算し、ステップＳ１０９において、第１の周波数範囲ＲＦ１の最大周波数ｆ１ｍａｘ及び第２の周波数範囲ＲＦ２の最小周波数ｆ２ｍｉｎにおいてレベル範囲ＬＲ２２の各入力信号レベルに対するＲＦＡＧＣレジスタ値の関係を示すデータに基づいて当該関係の近似関数ＡＦ８２ｂ＝ＡＦ９１ｂを計算する。さらに、ステップＳ１１０において、第２の周波数範囲ＲＦ２の最大周波数ｆ２ｍａｘにおいてレベル範囲ＬＲ２１の各入力信号レベルに対するＩＦＡＧＣレジスタ値の関係を示すデータに基づいて当該関係の近似関数ＡＦ９２ａを計算し、５ステップＳ１１１において、第２の周波数範囲ＲＦ２の最大周波数ｆ２ｍａｘにおいてレベル範囲ＬＲ２２の各入力信号レベルに対するＲＦＡＧＣレジスタ値の関係を示すデータに基づいて当該関係の近似関数ＡＦ９２ｂを計算する。そしてさらに、ステップＳ１１２において、上記計算された近似関数ＡＦ８１ａ，ＡＦ８１ｂ，ＡＦ８２ａ＝ＡＦ９１ａ，ＡＦ８２ｂ＝ＡＦ８２ｂ，ＡＦ９２ａ，ＡＦ９２ｂを含む表示制御プログラム（図２５）を生成してコントローラ５０内のプログラムメモリ５１に書き込み、当該表示制御プログラム生成処理を終了する。
図２５の表示制御処理において、まず、ステップＳ１２１において、入力信号レベルの表示指示が入力装置５３から入力されたか否かが判断され、ＹＥＳのときはステップＳ１２２に進む一方、ＮＯのときはステップＳ１２１に戻る。ステップＳ１２２において、ＩＦＡＧＣレジスタ３３からＩＦＡＧＣレジスタ値を読み出し、ＲＦＡＧＣレジスタ４３からＲＦＡＧＣレジスタ値を読み出し、ステップＳ１２３において、現在の受信周波数ｆｒｅｃは第１の周波数範囲ＦＲ１であるか否かが判断され、ＹＥＳのときはステップＳ１２４に進む一方、ＮＯのときはステップＳ１２７に進む。
次いで、ステップＳ１２４において、読み出されたＲＦＡＧＣレジスタ値はＲＦＡＧＣ値の最大値であるか否かが判断され、ＹＥＳのときはステップＳ１２５に進む一方、ＮＯのときはステップＳ１２６に進む。ステップＳ１２５において、読み出されたＩＦＡＧＣレジスタ値に基づいて、近似関数ＡＦ８１ａを用いて最小周波数ｆ１ｍｉｎにおける入力信号レベルＰｆｍｉｎを計算するとともに、近似関数ＡＦ８２ａを用いて最大周波数ｆ１ｍａｘにおける入力信号レベルＰｆｍａｘを計算し、ステップＳ１３０に進む。一方、ステップＳ１２６において、読み出されたＲＦＡＧＣレジスタ値に基づいて、近似関数ＡＦ８１ｂを用いて最小周波数ｆ１ｍｉｎにおける入力信号レベルＰｆｍｉｎを計算するとともに、近似関数ＡＦ８２ｂを用いて最大周波数ｆ１ｍａｘにおける入力信号レベルＰｆｍａｘを計算し、ステップＳ１３０に進む。
次いで、ステップＳ１２７において、読み出されたＲＦＡＧＣレジスタ値はＲＦＡＧＣ値の最大値であるか否かが判断され、ＹＥＳのときはステップＳ１２８に進む一方、ＮＯのときはステップＳ１２９に進む。ステップＳ１２８では、読み出されたＩＦＡＧＣレジスタ値に基づいて、近似関数ＡＦ９１ａを用いて最小周波数ｆ１ｍｉｎにおける入力信号レベルＰｆｍｉｎを計算するとともに、近似関数ＡＦ９２ａを用いて最大周波数ｆ１ｍａｘにおける入力信号レベルＰｆｍａｘを計算し、ステップＳ１３０に進む。一方、ステップＳ１２９において、読み出されたＲＦＡＧＣレジスタ値に基づいて、近似関数ＡＦ９１ｂを用いて最小周波数ｆ１ｍｉｎにおける入力信号レベルＰｆｍｉｎを計算するとともに、近似関数ＡＦ９２ｂを用いて最大周波数ｆ１ｍａｘにおける入力信号レベルＰｆｍａｘを計算し、ステップＳ１３０に進む。
さらに、ステップＳ１３０では、計算された入力信号レベルＰｆｍｉｎ及びＰｆｍａｘに基づいて線形近似法により式（２）を用いて入力信号レベルＰｉｎを計算し、ステップＳ１３１において、計算された入力信号レベルＰｉｎを表示するための表示データを生成してＯＳＤコントローラ１９に出力し、当該表示制御処理を終了する。
以上説明したように、第６の実施形態によれば、第４の実施形態に係る入力信号レベルの条件分け、並びに、第２の実施形態に係る周波数範囲の分割による近似関数の計算を用いたことに加えて、第４の実施形態に係るＲＦＡＧＣレジスタ値が最大値であるか否かに基づく条件分けに基づいて入力信号レベルを検出するので、高周波信号の入力信号レベルの検出精度をさらに向上できる。
第７の実施形態．
図２６は、第７の実施形態に係るテレビジョン受像機１００において受信チャンネルの近傍であってその両側に２つの隣接チャンネルの干渉波が存在する場合を示すスペクトル図である。図２６に示すように、入力信号レベルの検出を行う受信チャンネルの両側又は片側に、隣接チャンネルの放送信号のスペクトルエネルギーが存在する場合、各隣接チャンネルの放送信号による干渉波の１波又は２波により、放送信号の入力信号レベルの検出において検出誤差が生じるという問題点があった。この理由は、図１の帯域通過フィルタ８などの中間周波信号の処理回路において、隣接チャンネルの干渉波を完全に除去できるように急峻な帯域通過フィルタリング特性を有しないためである。
図２７は、第７の実施形態に係るテレビジョン受像機１００において、隣接チャンネルの干渉波が無い場合、その１波の干渉波がある場合、及びその２波の干渉波がある場合における入力信号レベルに対するＩＦＡＧＣレジスタ値及びＲＦＡＧＣレジスタ値を示すグラフである。図２７から明らかなように、各入力信号レベルに対するＲＦＡＧＣレジスタ値及びＩＦＡＧＣレジスタ値において、表示誤差が発生することがわかる。具体的には、ＩＦＡＧＣレジスタ値においては、１波の干渉波の場合に、干渉波無しに比べて検出誤差ＥＲ１が発生するとともに、２波の干渉波の場合に、干渉波無しに比べて検出誤差ＥＲ２（＞ＥＲ１）が発生する。また、入力信号レベルが概ね−１０ｄＢｍＶ以上であるとき（言い換えれば、ＲＦＡＧＣレジスタ値が最大値でないときに）干渉波による検出誤差が大きく発生していることがわかる。
すなわち、図２７では、上記の３つの場合の一例を示したものであるが、実際に配信される放送信号においては、受信チャンネルの放送信号と、隣接チャンネルの放送信号のＤＵ比の関係は種々のパターンが存在する。そこで、本実施形態では、受信チャンネルがチャンネル配置の中間にあり受信チャンネルの両側に隣接チャンネルがある場合（２波の干渉波）と、受信チャンネルがチャンネル配置の端部にあり受信チャンネルの片側にのみ隣接チャンネルがある場合（１波の干渉波）とに分け、前者のときの検出誤差ＥＲ２の近似関数ＡＦ１０２と、後者のときの検出誤差ＥＲ１の近似関数ＡＦ１０１とを予め測定しておき、しかもＲＦＡＧＣレジスタ値が最大値でないときに、ＲＦＡＧＣレジスタ値よりも変化量が大きいＩＦＡＧＣレジスタ値に基づいて、これら近似関数ＡＦ１０１又はＡＦ１０２を用いて計算された検出誤差ＥＲ１又はＥＲ２を用いて、受信される放送信号の入力信号レベルの検出レベルを補正するものである。
図２８は、第７の実施形態に係るテレビジョン受像機１００において、所望波電力に対する干渉波電力の比（Ｕ／Ｄ）に対するＩＦＡＧＣレジスタ値を示すグラフである。図２８から明らかなように、所望波電力に対する干渉波電力の比（Ｕ／Ｄ）が増大するにつれて、ＩＦＡＧＣレジスタ値も増加することがわかる。
図２９は、第７の実施形態に係るテレビジョン受像機１００において、ＩＦＡＧＣレジスタ値に対する入力信号レベルの表示誤差ＥＲ２を示すグラフである。図２９の例では、２波の干渉波の場合の近似関数ＡＦ１０２を示しているが、同様にして、１波の干渉波の場合の近似関数ＡＦ１０１を予め計算しておく。本実施形態では、これら２つの近似関数ＡＦ１０１，ＡＦ１０２を用いて、図３０の検出誤差の補正処理を実行することにより、特に、検出誤差が比較的大きいＩＦＡＧＣレジスタ値が最大値でないときに、ＩＦＡＧＣレジスタ値に基づいて入力信号レベルの検出誤差を補正することを特徴としている。
図３０は、第７の実施形態に係るコントローラ５０によって実行される表示制御処理の特徴部分を示すフローチャートである。この処理の特徴部分は、検出誤差の補正処理に関するものであり、図２５のステップＳ１３０とステップＳ１３１との間に挿入されるものである。
図２５のステップＳ１３０の処理の後、図３０のステップＳ１４１に進み、読み出されたＲＦＡＧＣレジスタ値はＲＦＡＧＣ値の最大値であるか否かが判断され、ＹＥＳのときは図２５のステップＳ１３１に進む一方、ＮＯのときはステップＳ１４２に進む。ステップＳ１４２において、受信チャンネルの両側に隣接チャンネルがあるか否かが判断され、ＹＥＳのときは２波の干渉波の場合と判断してステップＳ１４３に進む一方、ＮＯのときは１波の干渉波の場合と判断してステップＳ１４５に進む。ステップＳ１４３では、読み出されたＩＦＡＧＣレジスタ値に基づいて入力信号レベルの検出誤差の近似関数ＡＦ１０２を用いて検出誤差ＥＲ２を計算し、ステップＳ１４４において検出誤差ＥＲ２を検出誤差ＥＲとし、ステップＳ１４７に進む。一方、ステップＳ１４５では、読み出されたＩＦＡＧＣレジスタ値に基づいて入力信号レベルの検出誤差の近似関数ＡＦ１０１を用いて検出誤差ＥＲ１を計算し、ステップＳ１４４において検出誤差ＥＲ１を検出誤差ＥＲとし、ステップＳ１４７に進む。さらに、ステップＳ１４７では、先に計算された入力信号レベルＰｉｎに検出誤差ＥＲを加算してその加算結果を入力信号レベルＰｉｎとして設定し、図２５のステップＳ１３１に進む。
以上説明したように、第７の実施形態によれば、予め計算された２つの近似関数ＡＦ１０１，ＡＦ１０２を用いて、図３０の検出誤差の補正処理を実行することにより、特に、検出誤差が比較的大きいＩＦＡＧＣレジスタ値が最大値でないときに、ＩＦＡＧＣレジスタ値に基づいて入力信号レベルの検出誤差を補正する。これにより、放送信号の入力信号レベルの検出誤差を大幅に改善できる。
以上の第７の実施形態においては、ステップＳ１４２において、干渉波が１波の場合と２波の場合に分けているが、ほとんどの場合は、後者の場合であるので、後者の場合処理のみを実行してもよい。また、これら２つの場合の検出誤差の平均値を検出誤差として用いて入力信号レベルを補正してもよい。
以上の第７の実施形態に係る検出誤差の補正処理を、図２５のステップＳ１３０とステップＳ１３１との間に挿入しているが、本発明はこれに限らず、上述の第１乃至第５の実施形態において、入力信号レベルＰｉｎの検出値に対して、当該検出誤差の補正処理を実行してもよい。
変形例．
以上の実施形態において、図１のテレビジョン受像機１００において、高周波信号に対する利得を制御するために、減衰器４の減衰量を変化しているが、本発明はこれに限らず、高周波増幅器３の増幅度を変化してもよい。
以上の実施形態において、図１のテレビジョン受像機１００において、中間周波信号に対する利得を制御するために、中間周波増幅器７の増幅度を変化しているが、本発明はこれに限らず、その他の中間周波増幅器９の増幅度、もしくは中間周波段階で挿入される減衰器の減衰量を変化してもよい。
以上の実施形態においては、図１のテレビジョン受像機１００について説明しているが、本発明はこれに限らず、入力信号レベルの検出機能を備えたセットトップボックスの部分を分離して構成してもよい。また、放送信号に限らず、他の高周波信号の入力信号レベルの検出機能を備えた高周波信号レベル検出装置又は高周波信号受信装置として構成してもよい。
以上の実施形態においては、各実施形態に係る特徴部分の処理とその組み合わせについて説明しているが、本発明はこれに限らず、上記組み合わせに限らず、他の組み合わせの処理を実行してもよい。
【産業上の利用の可能性】
以上説明したように、本発明によれば、受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する。従って、従来技術に比較して高精度で高周波信号の信号レベルを検出することができる高周波信号レベル検出装置及びこれを用いた高周波信号受信装置を提供することができる。ここで、本発明に係る高周波信号レベル検出装置を、例えば、ＣＡＴＶ用セットトップボックスや、ＣＡＴＶ受信用テレビジョン受像機に加えて、無線放送信号を受信するセットトップボックス又はテレビジョン受像機などの高周波信号受信装置に適用できる。
【図１】
2004095725.tif 000004
【図２】
2004095725.tif 000005
【図３】
2004095725.tif 000006
【図４】
2004095725.tif 000007
【図５】
2004095725.tif 000008
【図６】
2004095725.tif 000009
【図７】
2004095725.tif 000010
【図８】
2004095725.tif 000011
【図９】
2004095725.tif 000012
【図１０】
2004095725.tif 000013
【図１１】
2004095725.tif 000014
【図１２】
2004095725.tif 000015
【図１３】
2004095725.tif 000016
【図１４】
2004095725.tif 000017
【図１５】
2004095725.tif 000018
【図１６】
2004095725.tif 000019
【図１７】
2004095725.tif 000020
【図１８】
2004095725.tif 000021
【図１９】
2004095725.tif 000022
【図２０】
2004095725.tif 000023
【図２１】
2004095725.tif 000024
【図２２】
2004095725.tif 000025
【図２３】
2004095725.tif 000026
【図２４】
2004095725.tif 000027
【図２５】
2004095725.tif 000028
【図２６】
2004095725.tif 000029
【図２７】
2004095725.tif 000030
【図２８】
2004095725.tif 000031
【図２９】
2004095725.tif 000032
【図３０】
2004095725.tif 000033
【手続補正書】
【提出日】平成16年10月13日(2004.10.13)
【手続補正００１】
【補正対象書類名】特許請求の範囲
【補正対象項目名】特許請求の範囲
【補正方法】変更
【補正の内容】
【特許請求の範囲】
【請求項１】
（補正後）受信された高周波信号を周波数変換した後の中間周波信号に基づいて、上記中間周波信号の出力レベルが実質的に一定となるように、上記高周波信号の利得を制御するためのＲＦＡＧＣ値と、上記中間周波信号の利得を制御するためのＩＦＡＧＣ値とを用いて、上記中間周波信号の自動利得制御を行うＡＧＣ回路と、
上記受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する検出手段とを備え、
上記受信される高周波信号は、複数の周波数を有し、
上記検出手段は、上記複数の周波数のうちの実質的に中央の周波数を有する高周波信号を用いて、入力信号レベルに対するＲＦＡＧＣ値の第１の関係データと、入力信号レベルに対するＩＦＡＧＣ値の第２の関係データとを予め測定したことを特徴とする高周波信号レベル検出装置。
【請求項２】
上記検出手段は、上記高周波信号に対する利得が最大値であるとき、上記測定されたＩＦＡＧＣ値に基づいて、上記第２の関係データのみを用いて、上記受信された高周波信号の入力信号レベルを検出することを特徴とする請求項１記載の高周波信号レベル検出装置。
【請求項３】
上記検出手段は、上記高周波信号に対する利得が最大値でないとき、上記測定されたＲＦＡＧＣ値に基づいて、上記第１の関係データのみを用いて、上記受信された高周波信号の入力信号レベルを検出することを特徴とする請求項１又は２記載の高周波信号レベル検出装置。
【請求項４】
上記検出手段は、上記測定されたＲＦＡＧＣ値に基づいて上記測定された第１の関係データを用いて、上記受信された高周波信号の第１の入力信号レベルを検出し、上記測定されたＩＦＡＧＣ値に基づいて上記測定された第２の関係データを用いて、上記受信された高周波信号の第２の入力信号レベルを検出し、上記検出された第１の入力信号レベルと、上記検出された第２の入力信号レベルとの平均値を、上記受信された高周波信号の入力信号レベルとして検出することを特徴とする請求項１乃至３のうちのいずれか１つに記載の高周波信号レベル検出装置。
【請求項５】
（削除）
【請求項６】
上記受信される高周波信号は、複数の周波数を有し、
上記検出手段は、上記複数の周波数のうちの最高周波数と最低周波数をそれぞれ有する２つの高周波信号を用いて、
（ａ）上記最高周波数を有する高周波信号の入力信号レベルに対するＲＦＡＧＣ値の第１の関係データの第１の部分と、
（ｂ）上記最高周波数を有する高周波信号の入力信号レベルに対するＩＦＡＧＣ値の第２の関係データの第１の部分と、
（ｃ）上記最低周波数を有する高周波信号の入力信号レベルに対するＲＦＡＧＣ値の第１の関係データの第２の部分と、
（ｄ）上記最低周波数を有する高周波信号の入力信号レベルに対するＩＦＡＧＣ値の第２の関係データの第２の部分と
を予め測定し、
上記測定されたＲＦＡＧＣ値に基づいて上記測定された第１の関係データの第１の部分を用いて、上記受信された高周波信号の第１の入力信号レベルを検出し、上記測定されたＩＦＡＧＣ値に基づいて上記測定された第２の関係データの第１の部分を用いて、上記受信された高周波信号の第２の入力信号レベルを検出し、上記検出された第１の入力信号レベルと、上記検出された第２の入力信号レベルとの平均値を、上記最高周波数を有する高周波信号の入力信号レベルとして検出し、
上記測定されたＲＦＡＧＣ値に基づいて上記測定された第１の関係データの第２の部分を用いて、上記受信された高周波信号の第３の入力信号レベルを検出し、上記測定されたＩＦＡＧＣ値に基づいて上記測定された第２の関係データの第２の部分を用いて、上記受信された高周波信号の第４の入力信号レベルを検出し、上記検出された第３の入力信号レベルと、上記検出された第４の入力信号レベルとの平均値を、上記最低周波数を有する高周波信号の入力信号レベルとして検出し、
上記検出された最高周波数を有する高周波信号の入力信号レベルと、上記最低周波数を有する高周波信号の入力信号レベルとに基づいて、上記測定対象の高周波信号の受信周波数に対して入力信号レベルを線形近似する線形近似法を用いて、上記測定対象の高周波信号の入力信号レベルを計算することを特徴とする請求項１乃至４のうちのいずれか１つに記載の高周波信号レベル検出装置。
【請求項７】
（補正後）上記受信される高周波信号は、複数の周波数を有し、
上記複数の周波数を含む周波数範囲を複数の周波数範囲に分割し、
上記検出手段は、上記分割された各周波数範囲において上記第１と第２の関係データを予め測定し、上記測定対象の高周波信号の周波数の属する周波数範囲に対応する上記測定された第１と第２の関係データを用いて、上記受信された高周波信号の入力信号レベルを検出することを特徴とする請求項１乃至４及び６のうちのいずれか１つに記載の高周波信号レベル検出装置。
【請求項８】
（補正後）上記検出手段は、上記測定対象の高周波信号の周波数の近傍に、別の高周波信号の干渉波があるときと、当該干渉波が無いときとの間における、上記受信された高周波信号の入力信号レベルに対するＩＦＡＧＣ値の第２の関係データにおけるＩＦＡＧＣ値に対する検出誤差である第３の関係データを予め測定し、上記測定対象の高周波信号に対して測定されたＩＦＡＧＣ値に基づいて、上記第３の関係データを用いて上記検出誤差を検出し、上記検出された入力信号レベルに対して、上記検出された検出誤差を用いて補正することを特徴とする請求項１乃至４並びに６及び７のうちのいずれか１つに記載の高周波信号レベル検出装置。
【請求項９】
（補正後）上記検出手段は、
（ａ）上記測定対象の高周波信号の周波数の両側に、別の高周波信号の干渉波があるときの第１の場合と、当該干渉波が無いときとの間における、上記受信された高周波信号の入力信号レベルに対するＩＦＡＧＣ値の第２の関係データにおけるＩＦＡＧＣ値に対する第１の検出誤差である第３の関係データの第１の部分と、
（ｂ）上記測定対象の高周波信号の周波数の片側に、別の高周波信号の干渉波があるときの第２の場合と、当該干渉波が無いときとの間における、上記受信された高周波信号の入力信号レベルに対するＩＦＡＧＣ値の第２の関係データにおけるＩＦＡＧＣ値に対する第２の検出誤差である第３の関係データの第２の部分とを予め測定し、上記測定対象の高周波信号に対して測定されたＩＦＡＧＣ値に基づいて、上記測定対象の高周波信号が上記第１の場合又は上記第２の場合である状態に対応する上記第３の関係データの第１の部分又は第２の部分を用いて、上記第１又は第２の検出誤差を検出し、上記検出された入力信号レベルに対して、当該検出された検出誤差を用いて補正することを特徴とする請求項１乃至４並びに６及び７のうちのいずれか１つに記載の高周波信号レベル検出装置。
【請求項１０】
（補正後）上記検出手段は、上記第１の関係データと、上記第２の関係データとをそれぞれ所定の近似関数で表し、上記第１の関係データの近似関数と、上記第２の関係データの近似関数を用いて、上記受信された高周波信号の入力信号レベルを検出することを特徴とする請求項１乃至４及び６乃至９のうちのいずれか１つに記載の高周波信号レベル検出装置。
【請求項１１】
（補正後）上記検出手段により検出された入力信号レベルを表示する表示手段をさらに備えたことを特徴とする請求項１乃至４及び６乃至１０のうちのいずれか１つに記載の高周波信号レベル検出装置。
【請求項１２】
（補正後）高周波信号を受信し、上記受信した高周波信号を中間周波信号に周波数変換して出力する受信機と、
請求項１乃至４及び６乃至１１のうちのいずれか１つに記載の高周波信号レベル検出装置とを備えたことを特徴とする高周波信号受信装置。
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
受信された高周波信号を周波数変換した後の中間周波信号に基づいて、上記中間周波信号の出力レベルが実質的に一定となるように、上記高周波信号の利得を制御するためのＲＦＡＧＣ値と、上記中間周波信号の利得を制御するためのＩＦＡＧＣ値とを用いて、上記中間周波信号の自動利得制御を行うＡＧＣ回路と、
上記受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する検出手段とを備え、
上記受信される高周波信号は、複数の周波数を有し、
上記検出手段は、上記複数の周波数のうちの実質的に中央の周波数を有する高周波信号を用いて、入力信号レベルに対するＲＦＡＧＣ値の第１の関係データと、入力信号レベルに対するＩＦＡＧＣ値の第２の関係データとを予め測定したことを特徴とする高周波信号レベル検出装置。
【請求項２】
上記検出手段は、上記高周波信号に対する利得が最大値であるとき、上記測定されたＩＦＡＧＣ値に基づいて、上記第２の関係データのみを用いて、上記受信された高周波信号の入力信号レベルを検出することを特徴とする請求項１記載の高周波信号レベル検出装置。
【請求項３】
上記検出手段は、上記高周波信号に対する利得が最大値でないとき、上記測定されたＲＦＡＧＣ値に基づいて、上記第１の関係データのみを用いて、上記受信された高周波信号の入力信号レベルを検出することを特徴とする請求項１又は２記載の高周波信号レベル検出装置。
【請求項４】
上記検出手段は、上記測定されたＲＦＡＧＣ値に基づいて上記測定された第１の関係データを用いて、上記受信された高周波信号の第１の入力信号レベルを検出し、上記測定されたＩＦＡＧＣ値に基づいて上記測定された第２の関係データを用いて、上記受信された高周波信号の第２の入力信号レベルを検出し、上記検出された第１の入力信号レベルと、上記検出された第２の入力信号レベルとの平均値を、上記受信された高周波信号の入力信号レベルとして検出することを特徴とする請求項１乃至３のうちのいずれか１つに記載の高周波信号レベル検出装置。
【請求項５】
上記受信される高周波信号は、複数の周波数を有し、
上記検出手段は、上記複数の周波数のうちの最高周波数と最低周波数をそれぞれ有する２つの高周波信号を用いて、
（ａ）上記最高周波数を有する高周波信号の入力信号レベルに対するＲＦＡＧＣ値の第１の関係データの第１の部分と、
（ｂ）上記最高周波数を有する高周波信号の入力信号レベルに対するＩＦＡＧＣ値の第２の関係データの第１の部分と、
（ｃ）上記最低周波数を有する高周波信号の入力信号レベルに対するＲＦＡＧＣ値の第１の関係データの第２の部分と、
（ｄ）上記最低周波数を有する高周波信号の入力信号レベルに対するＩＦＡＧＣ値の第２の関係データの第２の部分と
を予め測定し、
上記測定されたＲＦＡＧＣ値に基づいて上記測定された第１の関係データの第１の部分を用いて、上記受信された高周波信号の第１の入力信号レベルを検出し、上記測定されたＩＦＡＧＣ値に基づいて上記測定された第２の関係データの第１の部分を用いて、上記受信された高周波信号の第２の入力信号レベルを検出し、上記検出された第１の入力信号レベルと、上記検出された第２の入力信号レベルとの平均値を、上記最高周波数を有する高周波信号の入力信号レベルとして検出し、
上記測定されたＲＦＡＧＣ値に基づいて上記測定された第１の関係データの第２の部分を用いて、上記受信された高周波信号の第３の入力信号レベルを検出し、上記測定されたＩＦＡＧＣ値に基づいて上記測定された第２の関係データの第２の部分を用いて、上記受信された高周波信号の第４の入力信号レベルを検出し、上記検出された第３の入力信号レベルと、上記検出された第４の入力信号レベルとの平均値を、上記最低周波数を有する高周波信号の入力信号レベルとして検出し、
上記検出された最高周波数を有する高周波信号の入力信号レベルと、上記最低周波数を有する高周波信号の入力信号レベルとに基づいて、上記測定対象の高周波信号の受信周波数に対して入力信号レベルを線形近似する線形近似法を用いて、上記測定対象の高周波信号の入力信号レベルを計算することを特徴とする請求項１乃至４のうちのいずれか１つに記載の高周波信号レベル検出装置。
【請求項６】
上記受信される高周波信号は、複数の周波数を有し、
上記複数の周波数を含む周波数範囲を複数の周波数範囲に分割し、
上記検出手段は、上記分割された各周波数範囲において上記第１と第２の関係データを予め測定し、上記測定対象の高周波信号の周波数の属する周波数範囲に対応する上記測定された第１と第２の関係データを用いて、上記受信された高周波信号の入力信号レベルを検出することを特徴とする請求項１乃至５のうちのいずれか１つに記載の高周波信号レベル検出装置。
【請求項７】
上記検出手段は、上記測定対象の高周波信号の周波数の近傍に、別の高周波信号の干渉波があるときと、当該干渉波が無いときとの間における、上記受信された高周波信号の入力信号レベルに対するＩＦＡＧＣ値の第２の関係データにおけるＩＦＡＧＣ値に対する検出誤差である第３の関係データを予め測定し、上記測定対象の高周波信号に対して測定されたＩＦＡＧＣ値に基づいて、上記第３の関係データを用いて上記検出誤差を検出し、上記検出された入力信号レベルに対して、上記検出された検出誤差を用いて補正することを特徴とする請求項１乃至６のうちのいずれか１つに記載の高周波信号レベル検出装置。
【請求項８】
上記検出手段は、
（ａ）上記測定対象の高周波信号の周波数の両側に、別の高周波信号の干渉波があるときの第１の場合と、当該干渉波が無いときとの間における、上記受信された高周波信号の入力信号レベルに対するＩＦＡＧＣ値の第２の関係データにおけるＩＦＡＧＣ値に対する第１の検出誤差である第３の関係データの第１の部分と、
（ｂ）上記測定対象の高周波信号の周波数の片側に、別の高周波信号の干渉波があるときの第２の場合と、当該干渉波が無いときとの間における、上記受信された高周波信号の入力信号レベルに対するＩＦＡＧＣ値の第２の関係データにおけるＩＦＡＧＣ値に対する第２の検出誤差である第３の関係データの第２の部分と
を予め測定し、上記測定対象の高周波信号に対して測定されたＩＦＡＧＣ値に基づいて、上記測定対象の高周波信号が上記第１の場合又は上記第２の場合である状態に対応する上記第３の関係データの第１の部分又は第２の部分を用いて、上記第１又は第２の検出誤差を検出し、上記検出された入力信号レベルに対して、当該検出された検出誤差を用いて補正することを特徴とする請求項１乃至６のうちのいずれか１つに記載の高周波信号レベル検出装置。
【請求項９】
上記検出手段は、上記第１の関係データと、上記第２の関係データとをそれぞれ所定の近似関数で表し、上記第１の関係データの近似関数と、上記第２の関係データの近似関数を用いて、上記受信された高周波信号の入力信号レベルを検出することを特徴とする請求項１乃至８のうちのいずれか１つに記載の高周波信号レベル検出装置。
【請求項１０】
上記検出手段により検出された入力信号レベルを表示する表示手段をさらに備えたことを特徴とする請求項１乃至９のうちのいずれか１つに記載の高周波信号レベル検出装置。
【請求項１１】
高周波信号を受信し、上記受信した高周波信号を中間周波信号に周波数変換して出力する受信機と、
請求項１乃至１０のうちのいずれか１つに記載の高周波信号レベル検出装置とを備えたことを特徴とする高周波信号受信装置。
【手続補正２】
【補正対象書類名】明細書
【補正対象項目名】全文
【補正方法】変更
【補正の内容】
【発明の詳細な説明】
【技術分野】
【０００１】
本発明は、アンテナ又はケーブルにより受信された高周波信号の信号レベルを検出するための高周波信号レベル検出装置及びそれを用いた高周波信号受信装置に関する。
【背景技術】
【０００２】
アンテナ又はケーブルにより受信された高周波信号の信号レベルを検出するための高周波信号レベル検出装置として、従来から種々の装置が提案されており、例えば、以下の特許文献において開示されている。
【０００３】
これらの特許文献１−４においては、基本的には、受信される高周波信号の信号レベルが実質的に一定となるように制御するＡＧＣ（Automatic Gain Control）回路から出力される制御電圧であるＡＧＣ電圧に基づいて当該信号レベルを検出している。
【０００４】
例えば、特許文献１に記載の装置（以下、従来例の装置という。）においては、受信周波数の違いにより発生する入力レベル表示の表示誤差を低減するために、高周波回路ブロックの特性によってＡＧＣ値の変化が大きくなる所定の周波数以上の信号については、そのＡＧＣ値を所定値だけ補正してマッピング関数を作成してメモリに記憶させておき、入力レベル表示を行う際の受信周波数が所定の周波数を越えたときは、ＡＧＣ電圧を所定値だけ補正した後、マッピング関数によって入力信号の表示レベル値を算出するようにしたことを特徴としている。
【０００５】
【特許文献１】特開２００２−２１７７６３号公報。
【特許文献２】特開平９−１９９９６２号公報。
【特許文献３】特開昭６０−０６２２４６号公報。
【特許文献４】実開昭６２−０９３８４３号公報。
【発明の開示】
【発明が解決しようとする課題】
【０００６】
しかしながら、従来例の装置では、マッピング関数データをメモリに記憶するため、信号レベル表示を高精度で実現するためには、周波数範囲を細かく分け、その周波数範囲毎にマッピング関数データを記憶させるためにメモリ容量が増大し、所定のメモリ容量で信
号レベル表示をする場合は、精度が不足する場合があるという問題点があった。
【０００７】
また、従来例の装置では、信号レベルとＲＦＡＧＣ電圧との関係のみに基づいて信号レベルを算出しているために、信号レベルの表示精度が低下する場合があるという問題点があった。さらに、隣接チャンネルにおいて干渉波が存在する場合に、当該干渉波によりＲＦＡＧＣ電圧が影響を受け、信号レベルの表示精度が低下するという問題点があった。
【０００８】
本発明に目的は以上の問題点を解決し、従来技術に比較して高精度で高周波信号の信号レベルを検出することができる高周波信号レベル検出装置及びこれを用いた高周波信号受信装置を提供することにある。
【課題を解決するための手段】
【０００９】
本発明に係る高周波信号レベル検出装置は、受信された高周波信号を周波数変換した後の中間周波信号に基づいて、上記中間周波信号の出力レベルが実質的に一定となるように、上記高周波信号の利得を制御するためのＲＦＡＧＣ値と、上記中間周波信号の利得を制御するためのＩＦＡＧＣ値とを用いて、上記中間周波信号の自動利得制御を行うＡＧＣ回路と、
上記受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する検出手段とを備えたことを特徴とする。
【００１０】
上記高周波信号レベル検出装置において、上記検出手段は、上記高周波信号に対する利得が最大値であるとき、上記測定されたＩＦＡＧＣ値に基づいて、上記第２の関係データのみを用いて、上記受信された高周波信号の入力信号レベルを検出することを特徴とする。
【００１１】
また、上記高周波信号レベル検出装置において、上記検出手段は、上記高周波信号に対する利得が最大値でないとき、上記測定されたＲＦＡＧＣ値に基づいて、上記第１の関係データのみを用いて、上記受信された高周波信号の入力信号レベルを検出することを特徴とする。
【００１２】
さらに、上記高周波信号レベル検出装置において、上記検出手段は、上記測定されたＲＦＡＧＣ値に基づいて上記測定された第１の関係データを用いて、上記受信された高周波信号の第１の入力信号レベルを検出し、上記測定されたＩＦＡＧＣ値に基づいて上記測定された第２の関係データを用いて、上記受信された高周波信号の第２の入力信号レベルを検出し、上記検出された第１の入力信号レベルと、上記検出された第２の入力信号レベルとの平均値を、上記受信された高周波信号の入力信号レベルとして検出することを特徴とする。
【００１３】
またさらに、上記高周波信号レベル検出装置において、上記受信される高周波信号は、複数の周波数を有し、
上記検出手段は、上記複数の周波数のうちの実質的に中央の周波数を有する高周波信号を用いて、入力信号レベルに対するＲＦＡＧＣ値の第１の関係データと、入力信号レベルに対するＩＦＡＧＣ値の第２の関係データとを予め測定したことを特徴とする。
また、上記高周波信号レベル検出装置において、上記受信される高周波信号は、複数の周波数を有し、
上記検出手段は、上記複数の周波数のうちの最高周波数と最低周波数をそれぞれ有する２つの高周波信号を用いて、
（ａ）上記最高周波数を有する高周波信号の入力信号レベルに対するＲＦＡＧＣ値の第１の関係データの第１の部分と、
（ｂ）上記最高周波数を有する高周波信号の入力信号レベルに対するＩＦＡＧＣ値の第２の関係データの第１の部分と、
（ｃ）上記最低周波数を有する高周波信号の入力信号レベルに対するＲＦＡＧＣ値の第１の関係データの第２の部分と、
（ｄ）上記最低周波数を有する高周波信号の入力信号レベルに対するＩＦＡＧＣ値の第２の関係データの第２の部分と
を予め測定し、
上記測定されたＲＦＡＧＣ値に基づいて上記測定された第１の関係データの第１の部分を用いて、上記受信された高周波信号の第１の入力信号レベルを検出し、上記測定されたＩＦＡＧＣ値に基づいて上記測定された第２の関係データの第１の部分を用いて、上記受信された高周波信号の第２の入力信号レベルを検出し、上記検出された第１の入力信号レベルと、上記検出された第２の入力信号レベルとの平均値を、上記最高周波数を有する高周波信号の入力信号レベルとして検出し、
上記測定されたＲＦＡＧＣ値に基づいて上記測定された第１の関係データの第２の部分を用いて、上記受信された高周波信号の第３の入力信号レベルを検出し、上記測定されたＩＦＡＧＣ値に基づいて上記測定された第２の関係データの第２の部分を用いて、上記受信された高周波信号の第４の入力信号レベルを検出し、上記検出された第３の入力信号レベルと、上記検出された第４の入力信号レベルとの平均値を、上記最低周波数を有する高周波信号の入力信号レベルとして検出し、
上記検出された最高周波数を有する高周波信号の入力信号レベルと、上記最低周波数を有する高周波信号の入力信号レベルとに基づいて、上記測定対象の高周波信号の受信周波数に対して入力信号レベルを線形近似する線形近似法を用いて、上記測定対象の高周波信号の入力信号レベルを計算することを特徴とする。
さらに、上記高周波信号レベル検出装置において、上記受信される高周波信号は、複数の周波数を有し、
上記複数の周波数を含む周波数範囲を複数の周波数範囲に分割し、
上記検出手段は、上記分割された各周波数範囲において上記第１と第２の関係データを予め測定し、上記測定対象の高周波信号の周波数の属する周波数範囲に対応する上記測定された第１と第２の関係データを用いて、上記受信された高周波信号の入力信号レベルを検出することを特徴とする。
【００１４】
またさらに、上記高周波信号レベル検出装置において、上記検出手段は、上記測定対象の高周波信号の周波数の近傍に、別の高周波信号の干渉波があるときと、当該干渉波が無いときとの間における、上記受信された高周波信号の入力信号レベルに対するＩＦＡＧＣ値の第２の関係データにおけるＩＦＡＧＣ値に対する検出誤差である第３の関係データを予め測定し、上記測定対象の高周波信号に対して測定されたＩＦＡＧＣ値に基づいて、上記第３の関係データを用いて上記検出誤差を検出し、上記検出された入力信号レベルに対して、上記検出された検出誤差を用いて補正することを特徴とする。
【００１５】
また、上記高周波信号レベル検出装置において、上記検出手段は、
（ａ）上記測定対象の高周波信号の周波数の両側に、別の高周波信号の干渉波があるときの第１の場合と、当該干渉波が無いときとの間における、上記受信された高周波信号の入力信号レベルに対するＩＦＡＧＣ値の第２の関係データにおけるＩＦＡＧＣ値に対する第１の検出誤差である第３の関係データの第１の部分と、
（ｂ）上記測定対象の高周波信号の周波数の片側に、別の高周波信号の干渉波があるときの第２の場合と、当該干渉波が無いときとの間における、上記受信された高周波信号の入力信号レベルに対するＩＦＡＧＣ値の第２の関係データにおけるＩＦＡＧＣ値に対する第２の検出誤差である第３の関係データの第２の部分と
を予め測定し、上記測定対象の高周波信号に対して測定されたＩＦＡＧＣ値に基づいて、上記測定対象の高周波信号が上記第１の場合又は上記第２の場合である状態に対応する上記第３の関係データの第１の部分又は第２の部分を用いて、上記第１又は第２の検出誤差を検出し、上記検出された入力信号レベルに対して、当該検出された検出誤差を用いて補正することを特徴とする。
【００１６】
さらに、上記高周波信号レベル検出装置において、上記検出手段は、上記第１の関係データと、上記第２の関係データとをそれぞれ所定の近似関数で表し、上記第１の関係データの近似関数と、上記第２の関係データの近似関数を用いて、上記受信された高周波信号の入力信号レベルを検出することを特徴とする。
【００１７】
またさらに、上記高周波信号レベル検出装置は、上記検出手段により検出された入力信号レベルを表示する表示手段をさらに備えたことを特徴とする。
【００１８】
別の本発明に係る高周波信号受信装置は、高周波信号を受信し、上記受信した高周波信号を中間周波信号に周波数変換して出力する受信機と、上記高周波信号レベル検出装置とを備えたことを特徴とする。
【発明の効果】
【００１９】
従って、本発明によれば、受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する。従って、従来技術に比較して高精度で高周波信号の信号レベルを検出することができる。
【発明を実施するための最良の形態】
【００２０】
以下、図面を参照して、本発明に係る種々の実施形態について説明する、なお、同様の構成要素については同一の符号を付している。
【００２１】
第１の実施形態．
図１は、本発明の第１の実施形態に係る、高周波信号レベル検出及び表示機能を備えたテレビジョン受像機１００の構成を示すブロック図である。また、図２は、図１のテレビジョン受像機１００の高周波信号レベル検出及び表示機能のための表示制御プログラムを生成するための測定制御システムの構成を示すブロック図である。
【００２２】
本実施形態に係るテレビジョン受像機１００は、例えばケーブルテレビジョン（以下、ＣＡＴＶという。）のデジタル放送信号を受信するためのセットトップボックス（映像信号処理は図１のＲＧＢスイッチ１７まで、音声信号処理は図１の低周波増幅器２０までの部分）を備えた高周波信号受信装置であって、高周波（ＲＦ）の信号レベルを実質的に一定に保持するように減衰器４の減衰量を制御するためのＲＦＡＧＣ電圧と、中間周波（ＩＦ）の信号レベルを実質的に一定に保持するように中間周波増幅器７の増幅度を制御するためのＩＦＡＧＣ電圧を発生するＡＧＣ回路３０を備える。ここで、上記測定制御システムのコントローラ６０は、図４に示すように、高周波信号発生器６５を制御して入力端子１に入力する高周波信号の入力信号レベルを変化させて、各入力信号レベルに対するＩＦＡＧＣレジスタ値及びＲＦＡＧＣレジスタ値の関係に基づいてそれぞれ近似関数ＡＦ１，ＡＦ２を計算し、これら近似関数ＡＦ１，ＡＦ２を含む表示制御プログラム（図５）を生成して、コントローラ５０内のプログラムメモリ５１に書き込むことを特徴としている。さらに、テレビジョン受像機１００のコントローラ５０は、図５の表示制御プログラムを実行することにより、実際に放送信号を視聴しているときに、ＩＦＡＧＣレジスタ値に基づいて近似関数ＡＦ１を用いて入力信号レベルＰｉｆを計算し、ＲＦＡＧＣレジスタ値に基づいて近似関数ＡＦ２を用いて入力信号レベルＰｒｆを計算し、これらの平均値を入力信号レベルＰｉｎとして計算して表示することを特徴としている。
【００２３】
まず、図１のテレビジョン受像機１００の構成及び動作について以下に詳細説明する。
【００２４】
図１において、入力端子１には例えば同軸ケーブルを介してＣＡＴＶの放送事業者のヘッドエンド装置が接続される。また、フロントエンド回路２は、高周波増幅器３と、ＡＧＣ回路３０内の低域通過フィルタ（ＬＰＦ）４５から出力されるＲＦＡＧＣ電圧により減衰量が制御される減衰器４と、当該テレビジョン受像機１００の放送チャンネルの周波数を制御するために、コントローラ５０によりその局部発振周波数が制御される局部発振器５と、混合器６とを備えて構成される。ヘッドエンド装置からのデジタル放送信号は入力端子１、高周波増幅器３、及び減衰器４を介して混合器６に入力される。一方、局部発振器５からの局部発振信号は混合器６に入力される。混合器６は入力される２つの信号を混合して、混合後の信号を中間周波増幅器７、ＳＡＷ帯域通過フィルタ８及び中間周波増幅器９を介してＡ／Ｄ変換器１０に出力する。ここで、ＳＡＷ帯域通過フィルタ８は、実質的に放送信号の１チャンネル分の信号成分のみを帯域通過させ、これにより、混合後の信号から放送信号の１チャンネル分の信号成分に対応する低域周波数変換された中間周波信号（以下、ＩＦ信号という。）を抽出する。さらに、Ａ／Ｄ変換器１０は入力されるＩＦ信号を所定のサンプリング周波数でデジタル信号にＡ／Ｄ変換してデジタル復調器１１及びＡＧＣ回路３０内のＲＦ−ＩＦ制御機能を備えたＡＧＣ検波回路３１に出力する。
【００２５】
デジタル復調器１１は誤り訂正回路を含み、入力されるデジタル信号をデジタル復調してＴＳデコーダ１２に出力する。ＴＳデコーダ１２は入力されたデジタル復調されたデジタル信号を、放送事業者のセキュリティ情報を格納したＰＯＤカード部１３を介してデスクランブラ１４に送ることにより、デジタル復調されたデジタル信号をデスクランブルし、デスクランブル後のデジタル信号からトランスポート・ストリーム信号（以下、ＴＳ信号という。）を抽出してＡＶデコーダ１５に出力する。ＡＶデコーダ１５は入力されるＴＳ信号からデジタル映像信号とデジタル音声信号とを復号化した後、デジタル映像信号をＲＧＢプロセッサ１６に出力するとともに、デジタル音声信号を低周波増幅器２０に出力する。ＲＧＢプロセッサ１６は、入力されるデジタル映像信号をＲＧＢ映像信号に変換してＲＧＢスイッチ１７を介して液晶ディスプレイ１８に出力する。ここで、ＲＧＢスイッチ１７は、詳細後述するようにコントローラ５０からの放送信号の入力信号レベルのデータに基づきＯＳＤ（On Screen Display）コントローラ１９により発生されたＲＧＢ信号を、ＲＧＢプロセッサ１６からのＲＧＢ信号に重畳させて液晶ディスプレイ１８に出力する。また、低周波増幅器２０はＡ／Ｄ変換器を含み、入力される２チャンネルのデジタル音声信号をアナログ音声信号にＡ／Ｄ変換した後、左右のスピーカ２２，２１に出力する。
【００２６】
ＡＧＣ回路３０は、ＲＦ−ＩＦ制御機能を含むＡＧＣ検波回路３１と、ループフィルタ３２，４２と、ＩＦＡＧＣレジスタ３３と、ＲＦＡＧＣレジスタ４３と、パルス幅変調器３４，４４と、低域通過フィルタ３５，４５とを備えて構成される。ＡＧＣ検波回路３１は、受信場所や受信チャンネルにより様々な入力信号レベルで入力される放送信号（例えば、地上デジタル放送信号を受信した場合は約９０ｄＢの入力信号レベル差、デジタルケーブルの場合は約３０ｄＢの入力信号レベル差がある。）を、後段のデジタル復調器１１が正しく復調できるようにある実質的に一定の振幅レベルに調整するために、Ａ／Ｄ変換器１０から入力されるＩＦ信号を検出し、そのＩＦ信号のレベル値からＲＦＡＧＣとＩＦＡＧＣを動作させる割合を決定し、この割合に基づいてＲＦＡＧＣ信号及びＩＦＡＧＣ信号とを発生することにより、ＲＦＡＧＣループとＩＦＡＧＣループを制御する。ＡＧＣ検波回路３１からのＩＦＡＧＣ信号は所定の低域通過フィルタであるループフィルタ３２により時間平均化された後、その信号値はＩＦＡＧＣレジスタ３３に一時的に格納され、さらに、パルス幅変調器３４は例えばΔ−Σ変調方法を用いて、ＩＦＡＧＣレジスタ３３に格納されたＩＦＡＧＣレジスタ値に従ってパルス幅を変調し、パルス幅変調されたＩＦＡＧＣ信号は帯域通過フィルタ３５を介してＩＦＡＧＣ電圧となり、中間周波増幅器７の増幅度を制御する制御信号となる。一方、ＡＧＣ検波回路３１からのＲＦＡＧＣ信号は所定の低域通過フィルタであるループフィルタ４２により時間平均化された後、その信号値はＲＦＡＧＣレジスタ４３に一時的に格納され、さらに、パルス幅変調器４４は例えばΔ−Σ変調方法を用いて、ＲＦＡＧＣレジスタ４３に格納されたＲＦＡＧＣレジスタ値に従ってパルス幅を変調し、パルス幅変調されたＲＦＡＧＣ信号は帯域通過フィルタ４５を介してＲＦＡＧＣ電圧となり、減衰器４の減衰量を制御する制御信号となる。
【００２７】
ここで、ＩＦＡＧＣレジスタ３３及びＲＦＡＧＣレジスタ４３にそれぞれ格納されたＩＦＡＧＣレジスタ値及びＲＦＡＧＣレジスタ値は、コントローラ５０から読み出されて、詳細後述する近似関数ＡＦ１，ＡＦ２を生成するため、並びに、入力信号レベルＰｉｎを計算するために用いられる。
【００２８】
コントローラ５０は、例えばマイクロコンピュータにより構成され、プログラムメモリ５１に格納されたプログラムに従って、当該テレビジョン受像機１００全体を制御し、当該プログラムの実行時に一時的に計算されるデータをデータメモリ５２に格納する。コントローラ５０には、放送チャンネルを選択するためのチャンネル番号、入力信号レベルの表示指示などを入力するための入力装置５３が接続されるとともに、コントローラ５０への入力値や設定値を表示するための液晶ディスプレイ５４が接続される。本実施形態においては、コントローラ５０は、図２のコントローラ６０により生成されてプログラムメモリ５１に格納される表示制御プログラムを実行することにより、視聴しているデジタル放送信号の入力信号レベルを計算して表示する。
【００２９】
図２の測定制御システムにおいて、テレビジョン受像機１００の入力端子１に高周波信号発生器６５が接続され、コントローラ６０は高周波信号発生器６５から発生される高周波信号の周波数を制御する。コントローラ６０は、例えばマイクロコンピュータにより構成され、プログラムメモリ６１に格納されたプログラムに従って、当該測定制御システム全体を制御し、当該プログラムの実行時に一時的に計算されるデータをデータメモリ６２に格納する。コントローラ６０には、表示制御プログラムの生成指示などを入力するための入力装置６３が接続されるとともに、コントローラ６０への入力値や設定値、動作状態を表示するための液晶ディスプレイ６４が接続される。本実施形態においては、コントローラ６０は、詳細後述するように、プログラムメモリ６１に格納された図４の表示制御プログラム生成処理を実行することにより、高周波信号発生器６５を制御して入力端子１に入力する高周波信号の入力信号レベルを変化させて、各入力信号レベルに対するＩＦＡＧＣレジスタ値及びＲＦＡＧＣレジスタ値の関係に基づいてそれぞれ近似関数ＡＦ１，ＡＦ２を計算し、これら近似関数ＡＦ１，ＡＦ２を含む表示制御プログラム（図５）を生成して、コントローラ５０内のプログラムメモリ５１に書き込む。
【００３０】
図３は、米国におけるＣＡＴＶの放送信号のチャンネル配置の一例を示す図である。図３から明らかなように、米国におけるＣＡＴＶの放送信号のチャンネルは、第２チャンネルの５７ＭＨｚの放送信号から、第６３チャンネルの４５９ＭＨｚの放送信号を経て、第１３５チャンネルの８６１ＭＨｚの放送信号までを含んでいる。
【００３１】
図４は、図２の測定制御システムのコントローラ６０によって実行される表示制御プログラム生成処理を示すフローチャートである。
【００３２】
図４において、まず、ステップＳ１において、高周波信号発生器６５を制御して、入力端子１に入力する、例えば概略中心周波数４５９ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ２において、各入力信号レベルに対するＩＦＡＧＣレジスタ値の関係を示すデータに基づいて当該関係の近似関数ＡＦ１を計算し、ステップＳ３において、各入力信号レベルに対するＲＦＡＧＣレジスタ値の関係を示すデータに基づいて当該関係の近似関数ＡＦ２を計算する。さらに、ステップＳ４において、上記計算された近似関数ＡＦ１，ＡＦ２を含む表示制御プログラム（図５）を生成してコントローラ５０内のプログラムメモリ５１に書き込み、当該表示制御プログラム生成処理を終了する。ここで、近似関数は、例えばｙ＝ａｘ３＋ｂｘ２＋ｃｘ＋ｄなどの３次方程式の形式で、例えば最小２乗法などの数値計算法を用いて計算することができ、近似関数の形式や、その計算方法は後述の他の実施形態においても同様である。
【００３３】
図５は、図１のコントローラ５０によって実行される表示制御処理を示すフローチャートである。
【００３４】
図５において、まず、ステップＳ１１において、入力信号レベルの表示指示が入力装置５３から入力されたか否かが判断され、ＹＥＳのときはステップＳ１２に進む一方、ＮＯのときはステップＳ１１に戻る。次いで、ステップＳ１２において、ＩＦＡＧＣレジスタ３３からＩＦＡＧＣレジスタ値を読み出し、ＲＦＡＧＣレジスタ４３からＲＦＡＧＣレジスタ値を読み出す。ステップＳ１３において、読み出されたＩＦＡＧＣレジスタ値に基づいて、近似関数ＡＦ１を用いて入力信号レベルＰｉｆを計算し、ステップＳ１４において、読み出されたＲＦＡＧＣレジスタ値に基づいて、近似関数ＡＦ２を用いて入力信号レベルＰｒｆを計算する。さらに、ステップＳ１５において、計算された入力信号レベルＰｉｆ及びＰｒｆに基づいて、次式（１）を用いてそれらの平均値を入力信号レベルＰｉｎとして計算する。
【００３５】
［数１］
Ｐｉｎ＝（Ｐｉｆ＋Ｐｒｆ）／２      （１）
【００３６】
さらに、ステップＳ１６において、計算された入力信号レベルＰｉｎを表示するための表示データを生成してＯＳＤコントローラ１９に出力し、ステップＳ１１に戻る。
【００３７】
図６は、図１のテレビジョン受像機１００における入力信号レベルに対するＲＦＡＧＣレジスタ値及びＩＦＡＧＣレジスタ値の測定結果の一例を示すグラフである。図６から明らかなように、ＲＦＡＧＣレジスタ値は、入力信号レベルを増大させるにつれて、入力信号レベルが約−６ｄＢｍＶまでは減衰器４の減衰量が最小となってＲＦ利得は最大に設定されて実質的に一定であるが、入力信号レベルが約−６ｄＢｍＶを超えると次第に低下する特性を有している。一方、ＩＦＡＧＣレジスタ値は、入力信号レベルを増大するにつれて、入力信号レベルが約−６ｄＢｍＶまでは次第に低下するが、入力信号レベルが約−６ｄＢｍＶを超えるとほぼ一定となる特性を有している。
【００３８】
図７は、図６のＲＦＡＧＣレジスタ値に対する入力信号レベルの関係の測定結果を、所定の近似関数を用いて近似したときの近似関数ＡＦ２を示すグラフである。図７から明らかなように、入力信号レベルが−５ｄＢｍＶから−１０ｄＢｍＶまでの範囲で若干誤差が発生するが、それ以外は概ね測定値に沿って近似関数ＡＦ２が得られている。
【００３９】
図８は、図６のＩＦＡＧＣレジスタ値に対する入力信号レベルの関係の測定結果を、所定の近似関数を用いて近似したときの近似関数ＡＦ１を示すグラフである。図８から明らかなように、入力信号レベルが−１０ｄＢｍＶから０ｄＢｍＶまでの範囲で若干誤差が発生するが、それ以外は概ね測定値に沿って近似関数ＡＦ１が得られている。
【００４０】
以上説明したように、第１の実施形態に係る図５の表示制御処理によれば、デジタル放送信号を視聴しているときに、ＩＦＡＧＣレジスタ値に基づいて近似関数ＡＦ１を用いて入力信号レベルＰｉｆを計算し、ＲＦＡＧＣレジスタ値に基づいて近似関数ＡＦ２を用いて入力信号レベルＰｒｆを計算し、これらの平均値を入力信号レベルＰｉｎとして計算して表示しているので、上述の図７と図８の誤差を平均化することができ、受信される放送信号の入力信号レベルを従来技術に比較して高精度で検出して表示できる。
【００４１】
第２の実施形態．
図９は、本発明の第２の実施形態に係るテレビジョン受像機１００において用いる、２分割された周波数範囲ＦＲ１，ＦＲ２を示す図である。第２の実施形態においては、デジタル放送信号の入力信号レベルを検出するときに、放送信号の周波数に応じて、図６の特性が変化することに着目し、ＣＡＴＶの放送信号のすべてのチャンネルの周波数範囲を図９のように第１の周波数範囲ＦＲ１と第２の周波数範囲ＦＲ２とに２分割して、第１の周波数範囲ＦＲ１の概略中心周波数ｆ１ｃにおける入力信号レベルとＩＦＡＧＣレジスタ値との関係の近似関数ＡＦ１１及び入力信号レベルとＲＦＡＧＣレジスタ値との関係の近似関数ＡＦ１２と、第２の周波数範囲ＦＲ２の概略中心周波数ｆ２ｃにおける入力信号レベルとＩＦＡＧＣレジスタ値との関係の近似関数ＡＦ２１及び入力信号レベルとＲＦＡＧＣレジスタ値との関係の近似関数ＡＦ２２とを計算しておき、視聴するチャンネルの周波数範囲に応じて対応する２つの近似関数を用いて入力信号レベルＰｉｆ，Ｐｒｆを計算した後、第１の実施形態のようにこれらの入力信号レベルＰｉｆ，Ｐｒｆを平均化して入力信号レベルＰｉｎを求めることを特徴としている。
【００４２】
図１０は、第２の実施形態に係る測定制御システムのコントローラ６０によって実行される表示制御プログラム生成処理を示すフローチャートである。
【００４３】
図１０において、まず、ステップＳ２１において、高周波信号発生器６５を制御して、入力端子１に入力する第１の周波数範囲ＦＲ１の概略中心周波数ｆ１ｃ＝２５５ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ２２において、高周波信号発生器６５を制御して、入力端子１に入力する第２の周波数範囲ＦＲ２の概略中心周波数ｆ２ｃ＝６６３ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。そして、ステップＳ２３において、第１の周波数範囲ＦＲ１の各入力信号レベルに対するＩＦＡＧＣレジスタ値の関係を示すデータに基づいて当該関係の近似関数ＡＦ１１を計算し、ステップＳ２４において、第１の周波数範囲ＦＲ１の各入力信号レベルに対するＲＦＡＧＣレジスタ値の関係を示すデータに基づいて当該関係の近似関数ＡＦ１２を計算する。さらに、ステップＳ２５において、第２の周波数範囲ＦＲ２の各入力信号レベルに対するＩＦＡＧＣレジスタ値の関係を示すデータに基づいて当該関係の近似関数ＡＦ２１を計算し、ステップＳ２６において、第２の周波数範囲ＦＲ２の各入力信号レベルに対するＲＦＡＧＣレジスタ値の関係を示すデータに基づいて当該関係の近似関数ＡＦ２２を計算する。さらに、ステップＳ２７において、上記計算された各近似関数ＡＦ１１，ＡＦ１２，ＡＦ２１，ＡＦ２２を含む表示制御プログラム（図１１）を生成してコントローラ５０内のプログラムメモリ５１に書き込み、当該表示制御プログラム生成処理を終了する。
【００４４】
図１１は、第２の実施形態に係るコントローラ５０によって実行される表示制御処理を示すフローチャートである。
【００４５】
図１１において、まず、ステップＳ３１において、入力信号レベルの表示指示が入力装置５３から入力されたか否かが判断され、ＹＥＳのときはステップＳ３２に進む一方、ＮＯのときはステップＳ３１に戻る。ステップＳ３２において、ＩＦＡＧＣレジスタ３３からＩＦＡＧＣレジスタ値を読み出し、ＲＦＡＧＣレジスタ４３からＲＦＡＧＣレジスタ値を読み出す。次いで、ステップＳ３３において、現在の受信周波数ｆｒｅｃは第１の周波数範囲ＦＲ１内であるか否かが判断され、ＹＥＳのときはステップＳ３４に進む一方、ＮＯのときはステップＳ３６に進む。ステップＳ３４において、読み出されたＩＦＡＧＣレジスタ値に基づいて、近似関数ＡＦ１１を用いて入力信号レベルＰｉｆを計算し、ステップＳ３５において、読み出されたＲＦＡＧＣレジスタ値に基づいて、近似関数ＡＦ１２を用いて入力信号レベルＰｒｆを計算し、ステップＳ３８に進む。一方、ステップＳ３６において、読み出されたＩＦＡＧＣレジスタ値に基づいて、近似関数ＡＦ２１を用いて入力信号レベルＰｉｆを計算し、ステップＳ３７において、読み出されたＲＦＡＧＣレジスタ値に基づいて、近似関数ＡＦ２２を用いて入力信号レベルＰｒｆを計算し、ステップＳ３８に進む。さらに、ステップＳ３８において、計算された入力信号レベルＰｉｆ及びＰｒｆに基づいて式（１）を用いてそれらの平均値を入力信号レベルＰｉｎとして計算し、ステップＳ３９において、計算された入力信号レベルＰｉｎを表示するための表示データを生成してＯＳＤコントローラ１９に出力し、ステップＳ３１に戻る。
【００４６】
以上説明したように、第２の実施形態に係る図１１の表示制御処理によれば、デジタル放送信号を視聴しているときに、ＩＦＡＧＣレジスタ値に基づいて視聴しているデジタル放送信号の周波数に含まれる周波数範囲ＦＲ１又はＦＲ２に対応する近似関数ＡＦ１１又はＡＦ２１を用いて入力信号レベルＰｉｆを計算し、ＲＦＡＧＣレジスタ値に基づいて視聴しているデジタル放送信号の周波数に含まれる周波数範囲ＦＲ１又はＦＲ２に対応する近似関数ＡＦ１２又はＡＦ２２を用いて入力信号レベルＰｒｆを計算し、これらの平均値を入力信号レベルＰｉｎとして計算して表示しているので、上述の図７と図８の誤差を平均化するとともに、放送信号の周波数の変化による誤差を実質的に解消することができ、受信される放送信号の入力信号レベルを従来技術に比較して高精度で検出して表示できる。
【００４７】
以上の実施形態においては、放送信号の周波数範囲を２つの周波数範囲ＦＲ１，ＦＲ２に分割しているが、３つ以上の複数の周波数範囲に分割して近似関数を計算してもよい。これについては、後述する実施形態においても同様である。
【００４８】
第３の実施形態．
図１２は、本発明の第３の実施形態に係るテレビジョン受像機１００において用いる、２分割された各周波数範囲ＦＲ１，ＦＲ２における最低周波数ｆ１ｍｉｎ，ｆ２ｍｉｎ及び最高周波数ｆ１ｍａｘ，ｆ２ｍａｘ及び受信周波数ｆｒｅｃを示す図である。第３の実施形態においては、デジタル放送信号の入力信号レベルを検出するときに、放送信号の周波数に応じて、図６の特性が変化することに着目し、ＣＡＴＶの放送信号のすべてのチャンネルの周波数範囲を図１２のように第１の周波数範囲ＦＲ１と第２の周波数範囲ＦＲ２とに２分割して、
（ａ）第１の周波数範囲ＦＲ１の最低周波数ｆ１ｍｉｎにおける入力信号レベルとＩＦＡＧＣレジスタ値との関係の近似関数ＡＦ３１ａ及び入力信号レベルとＲＦＡＧＣレジスタ値との関係の近似関数ＡＦ３１ｂと、
（ｂ）第１の周波数範囲ＦＲ１の最高周波数ｆ１ｍａｘ及び第２の周波数範囲ＦＲ２の最低周波数ｆ２ｍｉｎにおける入力信号レベルとＩＦＡＧＣレジスタ値との関係の近似関数ＡＦ３２ａ＝ＡＦ４１ａ及び入力信号レベルとＲＦＡＧＣレジスタ値との関係の近似関数ＡＦ３２ｂ＝ＡＦ４１ｂと、
（ｃ）第２の周波数範囲ＦＲ２の最高周波数ｆ２ｍａｘにおける入力信号レベルとＩＦＡＧＣレジスタ値との関係の近似関数ＡＦ４２ａ及び入力信号レベルとＲＦＡＧＣレジスタ値との関係の近似関数ＡＦ４２ｂと、
を計算しておき、視聴するチャンネルの周波数範囲の最低周波数及び最高周波数においてそれぞれ対応する２つの近似関数を用いて、入力信号レベルＰｉｆ，Ｐｒｆを計算した後、第１の実施形態のようにこれらの入力信号レベルＰｉｆ，Ｐｒｆを平均化して、当該周波数範囲の最低周波数及び最高周波数における入力信号レベルの平均値Ｐｆｍｉｎ及びＰｆｍａｘを計算し、さらに、計算された入力信号レベルの平均値Ｐｆｍｉｎ及びＰｆｍａｘに基づいて、所定の周波数範囲の最低周波数と最高周波数との間において、周波数に対して入力信号レベルは線形に変化するという仮定のもとで、受信周波数に対して入力信号レベルを線形近似する線形近似法により次式（２）を用いて入力信号レベルＰｉｎを求めることを特徴としている。
【００４９】
【数１】
2004095725.tif 000034
【００５０】
ここで、ｆｒｅｃは受信周波数であり、ｎは第１の周波数範囲ＦＲ１のとき１であり、第２の周波数範囲ＦＲ２のとき２である。
【００５１】
図１３及び図１４は、第３の実施形態に係る測定制御システムのコントローラ６０によって実行される表示制御プログラム生成処理を示すフローチャートである。
【００５２】
図１３において、まず、ステップＳ４１において、高周波信号発生器６５を制御して、入力端子１に入力する第１の周波数範囲ＦＲ１の最小周波数ｆ１ｍｉｎ＝５７ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ４２において、高周波信号発生器６５を制御して、入力端子１に入力する第１の周波数範囲ＦＲ１の最大周波数ｆ１ｍａｘ及び第２の周波数範囲ＦＲ２の最小周波数ｆ２ｍｉｎ＝４５９ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。さらに、ステップＳ４３において、高周波信号発生器６５を制御して、入力端子１に入力する第２の周波数範囲ＦＲ２の最大周波数ｆ２ｍａｘ＝８６１ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。そして、ステップＳ４４において、第１の周波数範囲ＦＲ１の最小周波数ｆ１ｍｉｎにおける各入力信号レベルに対するＩＦＡＧＣレジスタ値の関係を示すデータに基づいて当該関係の近似関数ＡＦ３１ａを計算し、ステップＳ４５において、第１の周波数範囲ＦＲ１の最小周波数ｆ１ｍｉｎにおける各入力信号レベルに対するＲＦＡＧＣレジスタ値の関係を示すデータに基づいて当該関係の近似関数ＡＦ３１ｂを計算して、図１４のステップＳ４６に進む。
【００５３】
図１４のステップＳ４６において、第１の周波数範囲ＦＲ１の最大周波数ｆ１ｍａｘ及び第２の周波数範囲ＦＲ２の最小周波数ｆ２ｍｉｎにおける各入力信号レベルに対するＩＦＡＧＣレジスタ値の関係を示すデータに基づいて当該関係の近似関数ＡＦ３２ａ＝ＡＦ４１ａを計算し、ステップＳ４７において、第１の周波数範囲ＦＲ１の最大周波数ｆ１ｍａｘ及び第２の周波数範囲ＦＲ２の最小周波数ｆ２ｍｉｎにおける各入力信号レベルに対するＲＦＡＧＣレジスタ値の関係を示すデータに基づいて当該関係の近似関数ＡＦ３２ｂ＝ＡＦ４１ｂを計算する。次いで、ステップＳ４８において、第２の周波数範囲ＦＲ２の最大周波数ｆ２ｍａｘにおける各入力信号レベルに対するＩＦＡＧＣレジスタ値の関係を示すデータに基づいて当該関係の近似関数ＡＦ４２ａを計算し、ステップＳ４９において、第２の周波数範囲ＦＲ２の最大周波数ｆ２ｍａｘにおける各入力信号レベルに対するＲＦＡＧＣレジスタ値の関係を示すデータに基づいて当該関係の近似関数ＡＦ４２ｂを計算する。さらに、ステップＳ５０において、上記計算された各近似関数ＡＦ３１ａ，ＡＦ３１ｂ，ＡＦ３２ａ＝ＡＦ４１ａ，ＡＦ３２ｂ＝ＡＦ４１ｂ，ＡＦ４２ａ，ＡＦ４２ｂを含む表示制御プログラム（図１５）を生成してコントローラ５０内のプログラムメモリ５１に書き込み、当該表示制御プログラム生成処理を終了する。
【００５４】
図１５は、第３の実施形態に係るコントローラ５０によって実行される表示制御処理を示すフローチャートである。
【００５５】
図１５において、まず、ステップＳ５１において、入力信号レベルの表示指示が入力装置５３から入力されたか否かが判断され、ＹＥＳのときはステップＳ５２に進む一方、ＮＯのときはステップＳ５１に戻る。ステップＳ５２において、ＩＦＡＧＣレジスタ３３からＩＦＡＧＣレジスタ値を読み出し、ＲＦＡＧＣレジスタ４３からＲＦＡＧＣレジスタ値を読み出す。次いで、ステップＳ５３において、現在の受信周波数ｆｒｅｃは第１の周波数範囲ＦＲ１であるか否かが判断され、ＹＥＳのときはステップＳ５４に進む一方、ＮＯのときはステップＳ５６に進む。
【００５６】
ステップＳ５４において、読み出されたＩＦＡＧＣレジスタ値に基づいて、近似関数ＡＦ３１ａを用いて最小周波数ｆ１ｍｉｎにおける入力信号レベルＰｉｆを計算するとともに読み出されたＲＦＡＧＣレジスタ値に基づいて、近似関数ＡＦ３１ｂを用いて最小周波数ｆ１ｍｉｎにおける入力信号レベルＰｒｆを計算し、これらの平均値Ｐｆｍｉｎ＝（Ｐｉｆ＋Ｐｒｆ）／２を計算する。次いで、ステップＳ５５において、読み出されたＩＦＡＧＣレジスタ値に基づいて、近似関数ＡＦ３２ａを用いて最大周波数ｆ１ｍａｘにおける入力信号レベルＰｉｆを計算するとともに読み出されたＲＦＡＧＣレジスタ値に基づいて、近似関数ＡＦ３２ｂを用いて最大周波数ｆ１ｍａｘにおける入力信号レベルＰｒｆを計算し、これらの平均値Ｐｆｍａｘ＝（Ｐｉｆ＋Ｐｒｆ）／２を計算し、ステップＳ５８に進む。
【００５７】
ステップＳ５６において、読み出されたＩＦＡＧＣレジスタ値に基づいて、近似関数ＡＦ４１ａを用いて最小周波数ｆ２ｍｉｎにおける入力信号レベルＰｉｆを計算するとともに読み出されたＲＦＡＧＣレジスタ値に基づいて、近似関数ＡＦ４１ｂを用いて最小周波数ｆ２ｍｉｎにおける入力信号レベルＰｒｆを計算し、これらの平均値Ｐｆｍｉｎ＝（Ｐｉｆ＋Ｐｒｆ）／２を計算する。次いで、ステップＳ５７において、読み出されたＩＦＡＧＣレジスタ値に基づいて、近似関数ＡＦ４２ａを用いて最大周波数ｆ２ｍａｘにおける入力信号レベルＰｉｆを計算するとともに読み出されたＲＦＡＧＣレジスタ値に基づいて、近似関数ＡＦ４２ｂを用いて最大周波数ｆ２ｍａｘにおける入力信号レベルＰｒｆを計算し、これらの平均値Ｐｆｍａｘ＝（Ｐｉｆ＋Ｐｒｆ）／２を計算し、ステップＳ５８に進む。
【００５８】
さらに、ステップＳ５８において、計算された入力信号レベルＰｆｍｉｎ及びＰｆｍａｘに基づいて、線形近似法により式（２）を用いて入力信号レベルＰｉｎを計算し、ステップＳ５９において、計算された入力信号レベルＰｉｎを表示するための表示データを生成してＯＳＤコントローラ１９に出力した後、ステップＳ５１に戻る。
【００５９】
以上説明したように、第３の実施形態に係る図１５の表示制御処理によれば、デジタル放送信号を視聴しているときに、ＩＦＡＧＣレジスタ値に基づいて視聴しているデジタル放送信号の周波数に含まれる周波数範囲ＦＲ１又はＦＲ２における最低周波数における近似関数を用いて入力信号レベルＰｉｆを計算し、ＲＦＡＧＣレジスタ値に基づいて視聴しているデジタル放送信号の周波数に含まれる周波数範囲ＦＲ１又はＦＲ２における最低周波数における近似関数を用いて入力信号レベルＰｒｆを計算し、これらの平均値を最低周波数の入力信号レベルＰｆｍｉｎとして計算するとともに、ＩＦＡＧＣレジスタ値に基づいて視聴しているデジタル放送信号の周波数に含まれる周波数範囲ＦＲ１又はＦＲ２における最高周波数における近似関数を用いて入力信号レベルＰｉｆを計算し、ＲＦＡＧＣレジスタ値に基づいて視聴しているデジタル放送信号の周波数に含まれる周波数範囲ＦＲ１又はＦＲ２における最高周波数における近似関数を用いて入力信号レベルＰｒｆを計算し、これらの平均値を最高周波数の入力信号レベルＰｆｍａｘとして計算し、当該周波数範囲の最低周波数の入力信号レベルＰｆｍｉｎと、当該周波数範囲の最高周波数の入力信号レベルＰｆｍａｘとを用いて、線形近似法により式（２）を用いて入力信号レベルＰｉｎを計算して表示している。従って、上述の図７と図８の誤差を平均化するとともに、放送信号の周波数の変化による誤差を、最低周波数と最大周波数からの周波数ずれを考慮して補正することができ、受信される放送信号の入力信号レベルを従来技術に比較して高精度で検出して表示できる。
【００６０】
第４の実施形態．
図１６は、第４の実施形態に係る測定制御システムのコントローラ６０によって実行される表示制御プログラム生成処理を示すフローチャートである。図１７は、第４の実施形態に係るコントローラ５０によって実行される表示制御処理を示すフローチャートである。
【００６１】
第４の実施形態では、図６のグラフから明らかなように、ＲＦＡＧＣレジスタ値が最大値であるとき（入力信号レベルが所定のしきい値（図６では約−６ｄＢｍＶ）より小さいレベルのとき）、入力信号レベルに対して概略ＩＦＡＧＣレジスタ値のみが変化するが、ＲＦＡＧＣレジスタ値が最大値でないとき（入力信号レベルが上記しきい値を超えるレベルのとき）、入力信号レベルに対して概略ＲＦＡＧＣレジスタ値のみが変化することに着目し、前者の場合はＩＦＡＧＣレジスタ値に基づいて入力信号レベルを検出する一方、後者の場合はＲＦＡＧＣレジスタ値に基づいて入力信号レベルを検出することを特徴としている。具体的には、測定されたＲＦＡＧＣレジスタ値の最大値を検索し、ＲＦＡＧＣレジスタ値が最大値を有するとき（図１の減衰器４の減衰量が最小値のときで高周波信号に対する利得が最大値であるとき）の入力信号レベルの範囲を検索し、その範囲を第１のレベル範囲ＬＲ１とし、ＲＦＡＧＣレジスタ値が最大値を有しないときの入力信号レベルの範囲を第２のレベル範囲ＬＲ２とし、第１のレベル範囲ＬＲ１のとき、ＩＦＡＧＣレジスタ値に基づいて当該範囲ＬＲ１の近似関数ＡＦ５１を用いて入力信号レベルＰｉｎを計算する一方、第２のレベル範囲ＬＲ２のとき、ＲＦＡＧＣレジスタ値に基づいて当該範囲ＬＲ２の近似関数ＡＦ５２を用いて入力信号レベルＰｉｎを計算する。
【００６２】
図１６の表示制御プログラム生成処理において、まず、ステップＳ６１において、高周波信号発生器６５を制御して、入力端子１に入力する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値を測定してデータメモリ６２に格納する。次いで、ステップＳ６２において、測定されたＲＦＡＧＣレジスタ値に基づいてＲＦＡＧＣレジスタ値の最大値を検索してデータメモリ６２に格納し、ＲＦＡＧＣレジスタ値が最大値を有するときの入力信号レベルの範囲を検索し、その範囲を第１のレベル範囲ＬＲ１とし、ＲＦＡＧＣレジスタ値が最大値を有しないときの入力信号レベルの範囲を第２のレベル範囲ＬＲ２とする。そして、ステップＳ６３において、第１のレベル範囲ＬＲ１の各入力信号レベルに対するＩＦＡＧＣレジスタ値の関係を示すデータに基づいて当該関係の近似関数ＡＦ５１を計算し、ステップＳ６４において、第２のレベル範囲ＬＲ２の各入力信号レベルに対するＲＦＡＧＣレジスタ値の関係を示すデータに基づいて当該関係の近似関数ＡＦ５２を計算する。さらに、ステップＳ６５において、上記計算された近似関数ＡＦ５１，ＡＦ５２を含む表示制御プログラム（図１７）を生成してコントローラ５０内のプログラムメモリ５１に書き込み、当該表示制御プログラム生成処理を終了する。
【００６３】
図１７の表示制御処理において、ステップＳ７１において、入力信号レベルの表示指示が入力装置５３から入力されたか否かが判断され、ＹＥＳのときはステップＳ７２に進む一方、ＮＯのときはステップＳ７１に戻る。ステップＳ７２においては、ＩＦＡＧＣレジスタ３３からＩＦＡＧＣレジスタ値を読み出し、ＲＦＡＧＣレジスタ４３からＲＦＡＧＣレジスタ値を読み出す。そして、ステップＳ７３において、読み出されたＲＦＡＧＣレジスタ値はＲＦＡＧＣレジスタ値の最大値であるか否かが判断され、ＹＥＳのときはステップＳ７４に進む一方、ＮＯのときはステップＳ７５に進む。ステップＳ７４において、読み出されたＩＦＡＧＣレジスタ値に基づいて、近似関数ＡＦ５１を用いて入力信号レベルＰｉｎを計算した後、ステップＳ７６に進む。一方、ステップＳ７５において、読み出されたＲＦＡＧＣレジスタ値に基づいて、近似関数ＡＦ５２を用いて入力信号レベルＰｉｎを計算した後、ステップＳ７６に進む。さらに、ステップＳ７６では、計算された入力信号レベルＰｉｎを表示するための表示データを生成してＯＳＤコントローラ１９に出力し、ステップＳ７１に戻る。
【００６４】
図１８は、ＲＦＡＧＣレジスタ値に対する、所定のしきい値以上の入力信号レベルの関係の測定結果を、所定の近似関数を用いて近似したときの近似関数ＡＦ５２を示すグラフである。図１９は、ＩＦＡＧＣレジスタ値に対する、所定のしきい値以下の入力信号レベルの関係の測定結果を、所定の近似関数を用いて近似したときの近似関数ＡＦ５１を示すグラフである。図１８及び図１９から明らかなように、各グラフとも、ＲＦＡＧＣレジスタ値及びＩＦＡＧＣレジスタ値からそれぞれ一意に入力信号レベルを検出することができる。これは以下の理由による。図１７のステップＳ７３における入力信号レベルの条件分けをしないときは、図７及び図８のグラフから明らかなように、１次関数の部分（直線部分）と２次関数（曲線部分）が存在し、特に、１次関数と２次関数との間付近において、近似関数と実際の入力信号レベルとの間に誤差が発生する。一方、本実施形態のごとく、図１７のステップＳ７３における入力信号レベルの条件分けをすることにより、これら２種類の関数が同じグラフ上に存在しないため、近似関数の算出誤差が小さいので、入力信号レベルの検出精度が大幅に向上するという特有の利点がある。
【００６５】
第５の実施形態．
図２０及び図２１は、第５の実施形態に係る測定制御システムのコントローラ６０によって実行される表示制御プログラム生成処理を示すフローチャートである。図２２は、第５の実施形態に係るコントローラ５０によって実行される表示制御処理を示すフローチャートである。
【００６６】
第５の実施形態では、第４の実施形態に係る入力信号レベルの条件分けに加えて、第２の実施形態に係る周波数範囲の分割による近似関数の計算を用いたことを特徴としている。
【００６７】
図２０の表示制御プログラム生成処理において、まず、ステップＳ８１において、高周波信号発生器６５を制御して、入力端子１に入力する第１の周波数範囲ＦＲ１の概略中心周波数ｆ１ｃ＝２５５ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ８２において、第１の周波数範囲ＦＲ１について測定されたＲＦＡＧＣレジスタ値に基づいてＲＦＡＧＣレジスタ値の最大値を検索してデータメモリ６２に格納し、ＲＦＡＧＣレジスタ値が最大値を有するときの入力信号レベルの範囲を検索し、その範囲を第１の周波数範囲ＦＲ１のレベル範囲ＬＲ１１とし、ＲＦＡＧＣレジスタ値が最大値を有しないときの入力信号レベルの範囲を第１の周波数範囲ＦＲ１のレベル範囲ＬＲ１２とする。そして、ステップＳ８３において、レベル範囲ＬＲ１１の各入力信号レベルに対するＩＦＡＧＣレジスタ値の関係を示すデータに基づいて当該関係の近似関数ＡＦ６１を計算し、ステップＳ８４において、レベル範囲ＬＲ１２の各入力信号レベルに対するＲＦＡＧＣレジスタ値の関係を示すデータに基づいて当該関係の近似関数ＡＦ６２を計算する。さらに、ステップＳ８５において、高周波信号発生器６５を制御して、入力端子１に入力する第２の周波数範囲ＦＲ２の概略中心周波数ｆ２ｃ＝２５５ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納し、図２１のステップＳ８６に進む。
【００６８】
図２１のステップＳ８６において、第２の周波数範囲ＦＲ２について測定されたＲＦＡＧＣレジスタ値に基づいてＲＦＡＧＣレジスタ値の最大値を検索してデータメモリ６２に格納し、ＲＦＡＧＣレジスタ値が最大値を有するときの入力信号レベルの範囲を検索し、その範囲を第２の周波数範囲ＦＲ２のレベル範囲ＬＲ２１とし、ＲＦＡＧＣレジスタ値が最大値を有しないときの入力信号レベルの範囲を第２の周波数範囲ＦＲ２のレベル範囲ＬＲ２２とする。次いで、ステップＳ８７において、レベル範囲ＬＲ２１の各入力信号レベルに対するＩＦＡＧＣレジスタ値の関係を示すデータに基づいて当該関係の近似関数ＡＦ７１を計算し、ステップＳ８８において、レベル範囲ＬＲ２２の各入力信号レベルに対するＲＦＡＧＣレジスタ値の関係を示すデータに基づいて当該関係の近似関数ＡＦ７２を計算する。さらに、ステップＳ８９において、上記計算された近似関数ＡＦ６１、ＡＦ６２，ＡＦ７１，ＡＦ７２を含む表示制御プログラム（図２２）を生成してコントローラ５０内のプログラムメモリ５１に書き込み、当該表示制御プログラム生成処理を終了する。
【００６９】
図２２の表示制御処理において、まず、ステップＳ９１において、入力信号レベルの表示指示が入力装置５３から入力されたか否かが判断され、ＹＥＳのときはステップＳ９２に進む一方、ＮＯのときはステップＳ９１に戻る。次いで、ステップＳ９２において、ＩＦＡＧＣレジスタ３３からＩＦＡＧＣレジスタ値を読み出し、ＲＦＡＧＣレジスタ４３からＲＦＡＧＣレジスタ値を読み出し、ステップＳ９３において、現在の受信周波数は第１の周波数範囲ＦＲ１であるか否かが判断され、ＹＥＳのときはステップＳ９４に進む一方、ＮＯのときはステップＳ９７に進む。そして、ステップＳ９４において、読み出されたＲＦＡＧＣレジスタ値はＲＦＡＧＣレジスタ値の最大値であるか否かが判断され、ＹＥＳのときはステップＳ９５に進む一方、ＮＯのときはステップＳ９６に進む。ステップＳ９５では、読み出されたＩＦＡＧＣレジスタ値に基づいて、近似関数ＡＦ６１を用いて入力信号レベルＰｉｎを計算し、ステップＳ１００に進む。一方、ステップＳ９６において、読み出されたＲＦＡＧＣレジスタ値に基づいて、近似関数ＡＦ６２を用いて入力信号レベルＰｉｎを計算し、ステップＳ１００に進む。
【００７０】
次いで、ステップＳ９７において、読み出されたＲＦＡＧＣレジスタ値はＲＦＡＧＣレジスタ値の最大値であるか否かが判断され、ＹＥＳのときはステップＳ９８に進む一方、ＮＯのときはステップＳ９９に進む。ステップＳ９８において、読み出されたＩＦＡＧＣレジスタ値に基づいて、近似関数ＡＦ７１を用いて入力信号レベルＰｉｎを計算し、ステップＳ１００に進む。一方、ステップＳ９９では、読み出されたＲＦＡＧＣレジスタ値に基づいて、近似関数ＡＦ７２を用いて入力信号レベルＰｉｎを計算し、ステップＳ１００に進む。さらに、ステップＳ１００において、計算された入力信号レベルＰｉｎを表示するための表示データを生成してＯＳＤコントローラ１９に出力し、ステップＳ９１に戻る。
【００７１】
以上説明したように、第５の実施形態によれば、第４の実施形態に係る入力信号レベルの条件分けに加えて、第２の実施形態に係る周波数範囲の分割による近似関数の計算を用いることにより、さらに、高周波信号の入力信号レベルの検出精度を大幅に改善できる。
【００７２】
第６の実施形態．
図２３及び図２４は、第６の実施形態に係る測定制御システムのコントローラ６０によって実行される表示制御プログラム生成処理を示すフローチャートである。図２５は、第６の実施形態に係るコントローラ５０によって実行される表示制御処理を示すフローチャートである。
【００７３】
第６の実施形態では、第４の実施形態に係る入力信号レベルの条件分け、並びに、第２の実施形態に係る周波数範囲の分割による近似関数の計算を用いたことに加えて、第４の実施形態に係るＲＦＡＧＣレジスタ値が最大値であるか否かに基づく条件分けに基づいて入力信号レベルを検出することを特徴としている。
【００７４】
図２３の表示制御プログラム生成処理において、ステップＳ１０１において、高周波信号発生器６５を制御して、入力端子１に入力する第１の周波数範囲ＦＲ１の最小周波数ｆ１ｍｉｎ＝５７ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。次いで、ステップＳ１０２において、高周波信号発生器６５を制御して、入力端子１に入力する第１の周波数範囲ＦＲ１の最大周波数ｆ１ｍａｘ及び第２の周波数範囲ＦＲ２の最小周波数ｆ２ｍｉｎ＝４５９ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。さらに、ステップＳ１０３において、高周波信号発生器６５を制御して、入力端子１に入力する第２の周波数範囲ＦＲ２の最大周波数ｆ２ｍａｘ＝８６１ＭＨｚを有する高周波信号の入力信号レベルを−２０ｄＢｍＶから＋２０ｄＢｍＶまで１ｄＢｍＶ毎に変化させて各入力信号レベルに対するＩＦＡＧＣレジスタ値及びＲＦＡＧＣレジスタ値をそれぞれＩＦＡＧＣレジスタ３３及びＲＦＡＧＣレジスタ４３から読み出してデータメモリ６２に格納する。
【００７５】
また、ステップＳ１０４において、第１の周波数範囲ＦＲ１の最小周波数ｆ１ｍｉｎについて測定されたＲＦＡＧＣレジスタ値に基づいてＲＦＡＧＣレジスタ値の最大値を検索して第１の周波数範囲ＦＲ１のＲＦＡＧＣレジスタ値の最大値としてデータメモリ６２に格納し、ＲＦＡＧＣレジスタ値が最大値を有するときの入力信号レベルの範囲を検索し、その範囲を第１の周波数範囲ＦＲ１のレベル範囲ＬＲ１１とし、ＲＦＡＧＣレジスタ値が最大値を有しないときの入力信号レベルの範囲を第１の周波数範囲ＦＲ１のレベル範囲ＬＲ１２とする。次いで、ステップＳ１０５において、第２の周波数範囲ＦＲ２の最小周波数ｆ２ｍｉｎについて測定されたＲＦＡＧＣレジスタ値に基づいてＲＦＡＧＣレジスタ値の最大値を検索して第２の周波数範囲ＦＲ２のＲＦＡＧＣレジスタ値の最大値としてデータメモリ６２に格納し、ＲＦＡＧＣレジスタ値が最大値を有するときの入力信号レベルの範囲を検索し、その範囲を第２の周波数範囲ＦＲ２のレベル範囲ＬＲ２１とし、ＲＦＡＧＣレジスタ値が最大値を有しないときの入力信号レベルの範囲を第２の周波数範囲ＦＲ２のレベル範囲ＬＲ２２とする。
【００７６】
図２４のステップＳ１０６において、第１の周波数範囲ＦＲ１の最小周波数ｆ１ｍｉｎにおいてレベル範囲ＬＲ１１の各入力信号レベルに対するＩＦＡＧＣレジスタ値の関係を示すデータに基づいて当該関係の近似関数ＡＦ８１ａを計算し、ステップＳ１０７において、第１の周波数範囲ＦＲ１の最小周波数ｆ１ｍｉｎにおいてレベル範囲ＬＲ１２の各入力信号レベルに対するＲＦＡＧＣレジスタ値の関係を示すデータに基づいて当該関係の近似関数ＡＦ８１ｂを計算する。次いで、ステップＳ１０８において、第１の周波数範囲ＦＲ１の最大周波数ｆ１ｍａｘ及び第２の周波数範囲ＦＲ２の最小周波数ｆ２ｍｉｎにおいてレベル範囲ＬＲ２１の各入力信号レベルに対するＩＦＡＧＣレジスタ値の関係を示すデータに基づいて当該関係の近似関数ＡＦ８２ａ＝ＡＦ９１ａを計算し、ステップＳ１０９において、第１の周波数範囲ＦＲ１の最大周波数ｆ１ｍａｘ及び第２の周波数範囲ＦＲ２の最小周波数ｆ２ｍｉｎにおいてレベル範囲ＬＲ２２の各入力信号レベルに対するＲＦＡＧＣレジスタ値の関係を示すデータに基づいて当該関係の近似関数ＡＦ８２ｂ＝ＡＦ９１ｂを計算する。さらに、ステップＳ１１０において、第２の周波数範囲ＦＲ２の最大周波数ｆ２ｍａｘにおいてレベル範囲ＬＲ２１の各入力信号レベルに対するＩＦＡＧＣレジスタ値の関係を示すデータに基づいて当該関係の近似関数ＡＦ９２ａを計算し、ステップＳ１１１において、第２の周波数範囲ＦＲ２の最大周波数ｆ２ｍａｘにおいてレベル範囲ＬＲ２２の各入力信号レベルに対するＲＦＡＧＣレジスタ値の関係を示すデータに基づいて当該関係の近似関数ＡＦ９２ｂを計算する。そしてさらに、ステップＳ１１２において、上記計算された近似関数ＡＦ８１ａ，ＡＦ８１ｂ，ＡＦ８２ａ＝ＡＦ９１ａ，ＡＦ８２ｂ＝ＡＦ９１ｂ，ＡＦ９２ａ，ＡＦ９２ｂを含む表示制御プログラム（図２５）を生成してコントローラ５０内のプログラムメモリ５１に書き込み、当該表示制御プログラム生成処理を終了する。
【００７７】
図２５の表示制御処理において、まず、ステップＳ１２１において、入力信号レベルの表示指示が入力装置５３から入力されたか否かが判断され、ＹＥＳのときはステップＳ１２２に進む一方、ＮＯのときはステップＳ１２１に戻る。ステップＳ１２２において、ＩＦＡＧＣレジスタ３３からＩＦＡＧＣレジスタ値を読み出し、ＲＦＡＧＣレジスタ４３からＲＦＡＧＣレジスタ値を読み出し、ステップＳ１２３において、現在の受信周波数ｆｒｅｃは第１の周波数範囲ＦＲ１であるか否かが判断され、ＹＥＳのときはステップＳ１２４に進む一方、ＮＯのときはステップＳ１２７に進む。
【００７８】
次いで、ステップＳ１２４において、読み出されたＲＦＡＧＣレジスタ値はＲＦＡＧＣ値の最大値であるか否かが判断され、ＹＥＳのときはステップＳ１２５に進む一方、ＮＯのときはステップＳ１２６に進む。ステップＳ１２５において、読み出されたＩＦＡＧＣレジスタ値に基づいて、近似関数ＡＦ８１ａを用いて最小周波数ｆ１ｍｉｎにおける入力信号レベルＰｆｍｉｎを計算するとともに、近似関数ＡＦ８２ａを用いて最大周波数ｆ１ｍａｘにおける入力信号レベルＰｆｍａｘを計算し、ステップＳ１３０に進む。一方、ステップＳ１２６において、読み出されたＲＦＡＧＣレジスタ値に基づいて、近似関数ＡＦ８１ｂを用いて最小周波数ｆ１ｍｉｎにおける入力信号レベルＰｆｍｉｎを計算するとともに、近似関数ＡＦ８２ｂを用いて最大周波数ｆ１ｍａｘにおける入力信号レベルＰｆｍａｘを計算し、ステップＳ１３０に進む。
【００７９】
次いで、ステップＳ１２７において、読み出されたＲＦＡＧＣレジスタ値はＲＦＡＧＣ値の最大値であるか否かが判断され、ＹＥＳのときはステップＳ１２８に進む一方、ＮＯのときはステップＳ１２９に進む。ステップＳ１２８では、読み出されたＩＦＡＧＣレジスタ値に基づいて、近似関数ＡＦ９１ａを用いて最小周波数ｆ１ｍｉｎにおける入力信号レベルＰｆｍｉｎを計算するとともに、近似関数ＡＦ９２ａを用いて最大周波数ｆ１ｍａｘにおける入力信号レベルＰｆｍａｘを計算し、ステップＳ１３０に進む。一方、ステップＳ１２９において、読み出されたＲＦＡＧＣレジスタ値に基づいて、近似関数ＡＦ９１ｂを用いて最小周波数ｆ１ｍｉｎにおける入力信号レベルＰｆｍｉｎを計算するとともに、近似関数ＡＦ９２ｂを用いて最大周波数ｆ１ｍａｘにおける入力信号レベルＰｆｍａｘを計算し、ステップＳ１３０に進む。
【００８０】
さらに、ステップＳ１３０では、計算された入力信号レベルＰｆｍｉｎ及びＰｆｍａｘに基づいて線形近似法により式（２）を用いて入力信号レベルＰｉｎを計算し、ステップＳ１３１において、計算された入力信号レベルＰｉｎを表示するための表示データを生成してＯＳＤコントローラ１９に出力し、当該表示制御処理を終了する。
【００８１】
以上説明したように、第６の実施形態によれば、第４の実施形態に係る入力信号レベルの条件分け、並びに、第２の実施形態に係る周波数範囲の分割による近似関数の計算を用いたことに加えて、第４の実施形態に係るＲＦＡＧＣレジスタ値が最大値であるか否かに基づく条件分けに基づいて入力信号レベルを検出するので、高周波信号の入力信号レベルの検出精度をさらに向上できる。
【００８２】
第７の実施形態．
図２６は、第７の実施形態に係るテレビジョン受像機１００において受信チャンネルの近傍であってその両側に２つの隣接チャンネルの干渉波が存在する場合を示すスペクトル図である。図２６に示すように、入力信号レベルの検出を行う受信チャンネルの両側又は片側に、隣接チャンネルの放送信号のスペクトルエネルギーが存在する場合、各隣接チャンネルの放送信号による干渉波の１波又は２波により、放送信号の入力信号レベルの検出において検出誤差が生じるという問題点があった。この理由は、図１の帯域通過フィルタ８などの中間周波信号の処理回路において、隣接チャンネルの干渉波を完全に除去できるように急峻な帯域通過フィルタリング特性を有しないためである。
【００８３】
図２７は、第７の実施形態に係るテレビジョン受像機１００において、隣接チャンネルの干渉波が無い場合、その１波の干渉波がある場合、及びその２波の干渉波がある場合における入力信号レベルに対するＩＦＡＧＣレジスタ値及びＲＦＡＧＣレジスタ値を示すグラフである。図２７から明らかなように、各入力信号レベルに対するＲＦＡＧＣレジスタ値及びＩＦＡＧＣレジスタ値において、表示誤差が発生することがわかる。具体的には、ＩＦＡＧＣレジスタ値においては、１波の干渉波の場合に、干渉波無しに比べて検出誤差ＥＲ１が発生するとともに、２波の干渉波の場合に、干渉波無しに比べて検出誤差ＥＲ２（＞ＥＲ１）が発生する。また、入力信号レベルが概ね−１０ｄＢｍＶ以上であるとき（言い換えれば、ＲＦＡＧＣレジスタ値が最大値でないときに）干渉波による検出誤差が大きく発生していることがわかる。
【００８４】
すなわち、図２７では、上記の３つの場合の一例を示したものであるが、実際に配信される放送信号においては、受信チャンネルの放送信号と、隣接チャンネルの放送信号のＤＵ比の関係は種々のパターンが存在する。そこで、本実施形態では、受信チャンネルがチャンネル配置の中間にあり受信チャンネルの両側に隣接チャンネルがある場合（２波の干渉波）と、受信チャンネルがチャンネル配置の端部にあり受信チャンネルの片側にのみ隣接チャンネルがある場合（１波の干渉波）とに分け、前者のときの検出誤差ＥＲ２の近似関数ＡＦ１０２と、後者のときの検出誤差ＥＲ１の近似関数ＡＦ１０１とを予め測定しておき、しかもＲＦＡＧＣレジスタ値が最大値でないときに、ＲＦＡＧＣレジスタ値よりも変化量が大きいＩＦＡＧＣレジスタ値に基づいて、これら近似関数ＡＦ１０１又はＡＦ１０２を用いて計算された検出誤差ＥＲ１又はＥＲ２を用いて、受信される放送信号の入力信号レベルの検出レベルを補正するものである。
【００８５】
図２８は、第７の実施形態に係るテレビジョン受像機１００において、所望波電力に対する干渉波電力の比（Ｕ／Ｄ）に対するＩＦＡＧＣレジスタ値を示すグラフである。図２８から明らかなように、所望波電力に対する干渉波電力の比（Ｕ／Ｄ）が増大するにつれて、ＩＦＡＧＣレジスタ値も増加することがわかる。
【００８６】
図２９は、第７の実施形態に係るテレビジョン受像機１００において、ＩＦＡＧＣレジスタ値に対する入力信号レベルの表示誤差ＥＲ２を示すグラフである。図２９の例では、２波の干渉波の場合の近似関数ＡＦ１０２を示しているが、同様にして、１波の干渉波の場合の近似関数ＡＦ１０１を予め計算しておく。本実施形態では、これら２つの近似関数ＡＦ１０１，ＡＦ１０２を用いて、図３０の検出誤差の補正処理を実行することにより、特に、検出誤差が比較的大きいＩＦＡＧＣレジスタ値が最大値でないときに、ＩＦＡＧＣレジスタ値に基づいて入力信号レベルの検出誤差を補正することを特徴としている。
【００８７】
図３０は、第７の実施形態に係るコントローラ５０によって実行される表示制御処理の特徴部分を示すフローチャートである。この処理の特徴部分は、検出誤差の補正処理に関するものであり、図２５のステップＳ１３０とステップＳ１３１との間に挿入されるものである。
【００８８】
図２５のステップＳ１３０の処理の後、図３０のステップＳ１４１に進み、読み出されたＲＦＡＧＣレジスタ値はＲＦＡＧＣ値の最大値であるか否かが判断され、ＹＥＳのときは図２５のステップＳ１３１に進む一方、ＮＯのときはステップＳ１４２に進む。ステップＳ１４２において、受信チャンネルの両側に隣接チャンネルがあるか否かが判断され、ＹＥＳのときは２波の干渉波の場合と判断してステップＳ１４３に進む一方、ＮＯのときは１波の干渉波の場合と判断してステップＳ１４５に進む。ステップＳ１４３では、読み出されたＩＦＡＧＣレジスタ値に基づいて入力信号レベルの検出誤差の近似関数ＡＦ１０２を用いて検出誤差ＥＲ２を計算し、ステップＳ１４４において検出誤差ＥＲ２を検出誤差ＥＲとし、ステップＳ１４７に進む。一方、ステップＳ１４５では、読み出されたＩＦＡＧＣレジスタ値に基づいて入力信号レベルの検出誤差の近似関数ＡＦ１０１を用いて検出誤差ＥＲ１を計算し、ステップＳ１４４において検出誤差ＥＲ１を検出誤差ＥＲとし、ステップＳ１４７に進む。さらに、ステップＳ１４７では、先に計算された入力信号レベルＰｉｎに検出誤差ＥＲを加算してその加算結果を入力信号レベルＰｉｎとして設定し、図２５のステップＳ１３１に進む。
【００８９】
以上説明したように、第７の実施形態によれば、予め計算された２つの近似関数ＡＦ１０１，ＡＦ１０２を用いて、図３０の検出誤差の補正処理を実行することにより、特に、検出誤差が比較的大きいＩＦＡＧＣレジスタ値が最大値でないときに、ＩＦＡＧＣレジスタ値に基づいて入力信号レベルの検出誤差を補正する。これにより、放送信号の入力信号レベルの検出誤差を大幅に改善できる。
【００９０】
以上の第７の実施形態においては、ステップＳ１４２において、干渉波が１波の場合と２波の場合に分けているが、ほとんどの場合は、後者の場合であるので、後者の場合処理のみを実行してもよい。また、これら２つの場合の検出誤差の平均値を検出誤差として用いて入力信号レベルを補正してもよい。
【００９１】
以上の第７の実施形態に係る検出誤差の補正処理を、図２５のステップＳ１３０とステップＳ１３１との間に挿入しているが、本発明はこれに限らず、上述の第１乃至第５の実施形態において、入力信号レベルＰｉｎの検出値に対して、当該検出誤差の補正処理を実行してもよい。
【００９２】
変形例．
以上の実施形態において、図１のテレビジョン受像機１００において、高周波信号に対する利得を制御するために、減衰器４の減衰量を変化しているが、本発明はこれに限らず、高周波増幅器３の増幅度を変化してもよい。
【００９３】
以上の実施形態において、図１のテレビジョン受像機１００において、中間周波信号に対する利得を制御するために、中間周波増幅器７の増幅度を変化しているが、本発明はこれに限らず、その他の中間周波増幅器９の増幅度、もしくは中間周波段階で挿入される減衰器の減衰量を変化してもよい。
【００９４】
以上の実施形態においては、図１のテレビジョン受像機１００について説明しているが、本発明はこれに限らず、入力信号レベルの検出機能を備えたセットトップボックスの部分を分離して構成してもよい。また、放送信号に限らず、他の高周波信号の入力信号レベルの検出機能を備えた高周波信号レベル検出装置又は高周波信号受信装置として構成してもよい。
【００９５】
以上の実施形態においては、各実施形態に係る特徴部分の処理とその組み合わせについて説明しているが、本発明はこれに限らず、上記組み合わせに限らず、他の組み合わせの処理を実行してもよい。
【産業上の利用可能性】
【００９６】
以上説明したように、本発明によれば、受信された高周波信号の入力信号レベルに対するＲＦＡＧＣ値の第１の関係データと、上記受信された高周波信号の入力信号レベルに対するＩＦＡＧＣ値の第２の関係データとを予め測定し、測定対象の高周波信号を受信したときのＲＦＡＧＣ値及びＩＦＡＧＣ値を測定し、上記測定されたＲＦＡＧＣ値及びＩＦＡＧＣ値に基づいて、上記測定された第１と第２の関係データを用いて、上記受信された高周波信号の入力信号レベルを検出する。従って、従来技術に比較して高精度で高周波信号の信号レベルを検出することができる高周波信号レベル検出装置及びこれを用いた高周波信号受信装置を提供することができる。ここで、本発明に係る高周波信号レベル検出装置を、例えば、ＣＡＴＶ用セットトップボックスや、ＣＡＴＶ受信用テレビジョン受像機に加えて、無線放送信号を受信するセットトップボックス又はテレビジョン受像機などの高周波信号受信装置に適用できる。
【図面の簡単な説明】
【００９７】
【図１】本発明の第１の実施形態に係る、高周波信号レベル検出及び表示機能を備えたテレビジョン受像機１００の構成を示すブロック図である。
【図２】図１のテレビジョン受像機１００の高周波信号レベル検出及び表示機能のための表示制御プログラムを生成するための測定制御システムの構成を示すブロック図である。
【図３】米国におけるケーブルテレビジョンの放送信号のチャンネル配置の一例を示す図である。
【図４】図２の測定制御システムのコントローラ６０によって実行される表示制御プログラム生成処理を示すフローチャートである。
【図５】図１のコントローラ５０によって実行される表示制御処理を示すフローチャートである。
【図６】図１のテレビジョン受像機１００における入力信号レベルに対するＲＦＡＧＣレジスタ値及びＩＦＡＧＣレジスタ値の測定結果の一例を示すグラフである。
【図７】図６のＲＦＡＧＣレジスタ値に対する入力信号レベルの関係の測定結果を、所定の近似関数を用いて近似したときの近似関数を示すグラフである。
【図８】図６のＩＦＡＧＣレジスタ値に対する入力信号レベルの関係の測定結果を、所定の近似関数を用いて近似したときの近似関数を示すグラフである。
【図９】本発明の第２の実施形態に係るテレビジョン受像機１００において用いる、２分割された周波数範囲ＦＲ１，ＦＲ２を示す図である。
【図１０】第２の実施形態に係る測定制御システムのコントローラ６０によって実行される表示制御プログラム生成処理を示すフローチャートである。
【図１１】第２の実施形態に係るコントローラ５０によって実行される表示制御処理を示すフローチャートである。
【図１２】本発明の第３の実施形態に係るテレビジョン受像機１００において用いる、２分割された各周波数範囲ＦＲ１，ＦＲ２における最低周波数ｆ１ｍｉｎ，ｆ２ｍｉｎ及び最高周波数ｆ１ｍａｘ，ｆ２ｍａｘ及び受信周波数ｆｒｅｃを示す図である。
【図１３】第３の実施形態に係る測定制御システムのコントローラ６０によって実行される表示制御プログラム生成処理の第１の部分を示すフローチャートである。
【図１４】第３の実施形態に係る測定制御システムのコントローラ６０によって実行される表示制御プログラム生成処理の第２の部分を示すフローチャートである。
【図１５】第３の実施形態に係るコントローラ５０によって実行される表示制御処理を示すフローチャートである。
【図１６】第４の実施形態に係る測定制御システムのコントローラ６０によって実行される表示制御プログラム生成処理を示すフローチャートである。
【図１７】第４の実施形態に係るコントローラ５０によって実行される表示制御処理を示すフローチャートである。
【図１８】ＲＦＡＧＣレジスタ値に対する、所定のしきい値以上の入力信号レベルの関係の測定結果を、所定の近似関数を用いて近似したときの近似関数ＡＦ５２を示すグラフである。
【図１９】ＩＦＡＧＣレジスタ値に対する、所定のしきい値以下の入力信号レベルの関係の測定結果を、所定の近似関数を用いて近似したときの近似関数ＡＦ５１を示すグラフである。
【図２０】第５の実施形態に係る測定制御システムのコントローラ６０によって実行される表示制御プログラム生成処理の第１の部分を示すフローチャートである。
【図２１】第５の実施形態に係る測定制御システムのコントローラ６０によって実行される表示制御プログラム生成処理の第２の部分を示すフローチャートである。
【図２２】第５の実施形態に係るコントローラ５０によって実行される表示制御処理を示すフローチャートである。
【図２３】第６の実施形態に係る測定制御システムのコントローラ６０によって実行される表示制御プログラム生成処理の第１の部分を示すフローチャートである。
【図２４】第６の実施形態に係る測定制御システムのコントローラ６０によって実行される表示制御プログラム生成処理の第２の部分を示すフローチャートである。
【図２５】第６の実施形態に係るコントローラ５０によって実行される表示制御処理を示すフローチャートである。
【図２６】第７の実施形態に係るテレビジョン受像機１００において受信チャンネルの両側に２つの隣接チャンネルの干渉波が存在する場合を示すスペクトル図である。
【図２７】第７の実施形態に係るテレビジョン受像機１００において、隣接チャンネルの干渉波が無い場合、その１波の干渉波がある場合、及びその２波の干渉波がある場合における入力信号レベルに対するＩＦＡＧＣレジスタ値及びＲＦＡＧＣレジスタ値を示すグラフである。
【図２８】第７の実施形態に係るテレビジョン受像機１００において、所望波電力に対する干渉波電力の比（Ｕ／Ｄ）に対するＩＦＡＧＣレジスタ値を示すグラフである。
【図２９】第７の実施形態に係るテレビジョン受像機１００において、ＩＦＡＧＣレジスタ値に対する入力信号レベルの表示誤差ＥＲ２を示すグラフである。
【図３０】第７の実施形態に係るコントローラ５０によって実行される表示制御処理の特徴部分を示すフローチャートである。
【手続補正３】
【補正対象書類名】図面
【補正対象項目名】全図
【補正方法】変更
【補正の内容】
【図１】
2004095725.tif 000035
【図２】
2004095725.tif 000036
【図３】
2004095725.tif 000037
【図４】
2004095725.tif 000038
【図５】
2004095725.tif 000039
【図６】
2004095725.tif 000040
【図７】
2004095725.tif 000041
【図８】
2004095725.tif 000042
【図９】
2004095725.tif 000043
【図１０】
2004095725.tif 000044
【図１１】
2004095725.tif 000045
【図１２】
2004095725.tif 000046
【図１３】
2004095725.tif 000047
【図１４】
2004095725.tif 000048
【図１５】
2004095725.tif 000049
【図１６】
2004095725.tif 000050
【図１７】
2004095725.tif 000051
【図１８】
2004095725.tif 000052
【図１９】
2004095725.tif 000053
【図２０】
2004095725.tif 000054
【図２１】
2004095725.tif 000055
【図２２】
2004095725.tif 000056
【図２３】
2004095725.tif 000057
【図２４】
2004095725.tif 000058
【図２５】
2004095725.tif 000059
【図２６】
2004095725.tif 000060
【図２７】
2004095725.tif 000061
【図２８】
2004095725.tif 000062
【図２９】
2004095725.tif 000063
【図３０】
2004095725.tif 000064
【国際調査報告】
2004095725.tif 000065
2004095725.tif 000066
2004095725.tif 000067
2004095725.tif 000068